(57)【特許請求の範囲】
【請求項１】
回転式の操作ダイヤルと、
前記操作ダイヤルの天面への指の接触及び接触位置を検出する接触検出部と、
前記接触検出部で接触が検出された場合に設定するモードの情報が記憶される第１記憶部であって、設定するモードの情報が、前記操作ダイヤルの天面に設定された複数の領域ごとに記憶される第１記憶部と、
前記第１記憶部に記憶された情報、及び、前記接触検出部の検出結果に基づいて、モードを設定するモード設定部と、
前記操作ダイヤルの操作対象をモードごとに定めた情報を記憶する第２記憶部と、
前記第２記憶部に記憶された情報、及び、前記モード設定部で設定されたモードに基づいて、前記操作ダイヤルの操作対象を設定する操作対象設定部と、
を備えたカメラ。
【請求項２】
前記接触検出部は、更に、接触が検出された指の移動及び移動方向を検出し、
前記第１記憶部には、更に、指の移動が検出された場合に設定するモードの情報が記憶され、移動方向ごとに設定するモードの情報が記憶される、
請求項１に記載のカメラ。
【請求項３】
回転式の操作ダイヤルと、
前記操作ダイヤルの天面に接触した指の移動及び移動方向を検出する接触検出部と、
前記接触検出部で指の移動が検出された場合に設定するモードの情報が記憶される第１記憶部であって、移動方向ごとに設定するモードの情報が記憶される第１記憶部と、
前記第１記憶部に記憶された情報、及び、前記接触検出部の検出結果に基づいて、モードを設定するモード設定部と、
前記操作ダイヤルの操作対象をモードごとに定めた情報を記憶する第２記憶部と、
前記第２記憶部に記憶された情報、及び、前記モード設定部で設定されたモードに基づいて、前記操作ダイヤルの操作対象を設定する操作対象設定部と、
を備えたカメラ。
【請求項４】
回転式の操作ダイヤルと、
前記操作ダイヤルの天面に設定される複数の接触検出領域への接触を個別に検出する接触検出部と、
各前記接触検出領域に単独で触れた場合に設定するモードの情報を記憶する第１記憶部と、
前記第１記憶部に記憶された情報、及び、前記接触検出部の検出結果に基づいて、モードを設定するモード設定部と、
前記操作ダイヤルの操作対象をモードごとに定めた情報を記憶する第２記憶部と、
前記第２記憶部に記憶された情報、及び、前記モード設定部で設定されたモードに基づいて、前記操作ダイヤルの操作対象を設定する操作対象設定部と、
を備えたカメラ。
【請求項５】
前記第１記憶部は、標準で設定するモードの情報を更に記憶する、
請求項４に記載のカメラ。
【請求項６】
前記第１記憶部は、複数の前記接触検出領域を同時に触れた場合に設定するモードの情報を更に記憶する、
請求項４又は５に記載のカメラ。
【請求項７】
前記操作ダイヤルの天面には、少なくとも第１接触検出領域及び第２接触検出領域が設定され、
前記接触検出部は、少なくとも前記第１接触検出領域及び前記第２接触検出領域への接触を個別に検出し、
前記第１記憶部には、前記第１接触検出領域に単独で触れた場合に設定するモードがシャッタースピード優先モードであり、前記第２接触検出領域に単独で触れた場合に設定するモードが絞り優先モードであることが記憶され、
前記第２記憶部には、シャッタースピード優先モードに設定された場合の前記操作ダイヤルの操作対象がシャッタースピードであり、絞り優先モードに設定された場合の前記操作ダイヤルの操作対象が絞り値であることが記憶される、
請求項５に記載のカメラ。
【請求項８】
前記第１記憶部には、標準で設定するモードがプログラムモードであることが更に記憶され、
前記第２記憶部には、プログラムモードに設定された場合の前記操作ダイヤルの操作対象がプログラムシフトであることが更に記憶される、
請求項７に記載のカメラ。
【請求項９】
前記第１記憶部には、前記第１接触検出領域及び前記第２接触検出領域に同時に触れた場合に設定するモードがマニュアルモードであることを更に記憶する、
前記第２記憶部には、マニュアルモードに設定された場合の前記操作ダイヤルの操作対象が絞り値又はシャッタースピードであることが更に記憶される、
請求項７又は８に記載のカメラ。
【請求項１０】
前記操作ダイヤルの天面には、各前記接触検出領域に単独で触れた場合に設定される前記操作ダイヤルの操作対象の情報が、前記接触検出領域ごとに表示される、
請求項４から９のいずれか１項に記載のカメラ。
【請求項１１】
前記操作ダイヤルの天面に備えられるダイヤル表示部と、
前記ダイヤル表示部の表示を制御するダイヤル表示制御部と、
を更に備え、
前記ダイヤル表示制御部は、各前記接触検出領域に単独で触れた場合に設定される前記操作ダイヤルの操作対象の情報を前記接触検出領域ごとに表示する、
請求項４から９のいずれか１項に記載のカメラ。
【請求項１２】
前記ダイヤル表示制御部は、設定されたモードに応じて、前記ダイヤル表示部の表示形態を変更する、
請求項１１に記載のカメラ。
【請求項１３】
設定表示部と、
前記設定表示部の表示を制御する設定表示制御部と、
を更に備え、
前記設定表示制御部は、少なくとも前記モード設定部で設定されるモードの情報を前記設定表示部に表示する、
請求項４から１２のいずれか１項に記載のカメラ。
【請求項１４】
回転式の操作ダイヤルの天面への指の接触及び接触位置を検出する工程と、
前記操作ダイヤルの天面への指の接触が検出された場合に設定するモードの情報であって、前記操作ダイヤルの天面に設定された複数の領域ごとに定められたモードの情報、及び、前記操作ダイヤルの天面への指の接触の検出結果に基づいて、モードを設定する工程と、
前記操作ダイヤルの操作対象をモードごとに定めた情報、及び、設定されたモードに基づいて、前記操作ダイヤルの操作対象を設定する工程と、
を備えたカメラの設定方法。
【請求項１５】
回転式の操作ダイヤルの天面に接触した指の移動及び移動方向を検出する工程と、
前記操作ダイヤルの天面に接触した指の移動が検出された場合に設定するモードの情報であって、移動方向ごとに定められたモードの情報、及び、前記操作ダイヤルの天面への指の移動の検出結果に基づいて、モードを設定する工程と、
前記操作ダイヤルの操作対象をモードごとに定めた情報、及び、設定されたモードに基づいて、前記操作ダイヤルの操作対象を設定する工程と、
を備えたカメラの設定方法。
【請求項１６】
回転式の操作ダイヤルの天面に設定される複数の接触検出領域への接触を個別に検出する工程と、
各前記接触検出領域に単独で触れた場合に設定するモードの情報、及び、前記接触検出領域への接触の検出結果に基づいて、モードを設定する工程と、
前記操作ダイヤルの操作対象をモードごとに定めた情報、及び、設定されたモードに基づいて、前記操作ダイヤルの操作対象を設定する工程と、
を備えたカメラの設定方法。
【請求項１７】
回転式の操作ダイヤルの天面への指の接触及び接触位置を検出する接触検出部の検出結果、及び、前記操作ダイヤルの天面への指の接触が検出された場合に設定するモードの情報であって、前記操作ダイヤルの天面に設定された複数の領域ごとに定められたモードの情報に基づいて、モードを設定する機能と、
前記操作ダイヤルの操作対象をモードごとに定めた情報、及び、設定されたモードに基づいて、前記操作ダイヤルの操作対象を設定する機能と、
をコンピューターに実現させるカメラの設定プログラム。
【請求項１８】
回転式の操作ダイヤルの天面に接触した指の移動及び移動方向を検出する接触検出部の検出結果、及び、前記操作ダイヤルの天面に接触した指の移動が検出された場合に設定するモードの情報であって、移動方向ごとに定められたモードの情報に基づいて、モードを設定する機能と、
前記操作ダイヤルの操作対象をモードごとに定めた情報、及び、設定されたモードに基づいて、前記操作ダイヤルの操作対象を設定する機能と、
をコンピューターに実現させるカメラの設定プログラム。
【請求項１９】
回転式の操作ダイヤルの天面に設定される複数の接触検出領域への接触を個別に検出する接触検出部の検出結果、及び、各前記接触検出領域に単独で触れた場合に設定するモードの情報に基づいて、モードを設定する機能と、
前記操作ダイヤルの操作対象をモードごとに定めた情報、及び、設定されたモードに基づいて、前記操作ダイヤルの操作対象を設定する機能と、
をコンピューターに実現させるカメラの設定プログラム。
【発明の詳細な説明】
【技術分野】
【０００１】
本発明は、カメラ、カメラの設定方法、及び、カメラの設定プログラムに関する。
【背景技術】
【０００２】
露出モードを選択できるカメラが知られている。露出モードは、露出を決定するために、絞り値とシャッタースピードのどの要素をユーザーがコントロールするかによって各モードが分かれる。一般的に採用されている露出モードは、プログラムモード、シャッタースピード優先モード、絞り優先モード、及び、マニュアルモードである。【０００３】
プログラムモードは、適正露出となるように、絞り値及びシャッタースピードをカメラが自動的に決定するモードである。プログラムモードは、Ｐモード（P:Program）、プログラムオートなどとも称される。プログラムモードでは、露出を一定にしたまま、ユーザーが絞り値とシャッタースピードの組み合わせを変更できる。これをプログラムシフトと呼ぶ。【０００４】
シャッタースピード優先モードは、ユーザーが選択したシャッタースピードに対して、適正露出となるような絞り値をカメラが自動的に決定するモードである。シャッタースピード優先モードは、Ｓモード（S:Shutter）、Ｔｖモード（Tv:Time value）、シャッタースピード優先オートなどとも称される。【０００５】
絞り優先モードは、ユーザーが選択した絞り値に対して、適正露出となるようなシャッタースピードをカメラが自動的に決定するモードである。絞り優先モードは、Ａモード（A:Aperture）、Ａｖモード（Av:Aperture value）、絞り優先オートなどとも称される。【０００６】
マニュアルモードは、絞り値及びシャッタースピードの両方をユーザーが選択するモードである。マニュアルモードは、Ｍモード（M:Manual）などとも称される。【０００７】
従来、露出モードの選択は、カメラボディに備えられたモードダイヤルによって行われていた（たとえば、特許文献１、２等）。あるいは、カメラボディの背面等に備えられたモニタを利用し、メニュー画面等で行われていた（たとえば、特許文献３等）。
【先行技術文献】
【特許文献】
【０００８】
【特許文献１】特開2006-270332号公報
【特許文献２】特開2016-133692号公報
【特許文献３】特開2014-161066号公報
【発明の概要】
【発明が解決しようとする課題】
【０００９】
しかしながら、モードダイヤルによる設定は、カメラボディにモードダイヤルを備える必要があり、部品点数が増加したり、カメラボディが大型化したりするという欠点がある。【００１０】
また、メニュー画面等を利用した設定は、操作が繁雑であり、目的とするモードを素早く設定できないという欠点がある。【００１１】
本発明は、このような事情に鑑みてなされたもので、簡素な構成で操作性のよいカメラ、カメラの設定方法、及び、カメラの設定プログラムを提供することを目的とする。
【課題を解決するための手段】
【００１２】
上記課題を解決するための手段は、次のとおりである。【００１３】
（１）回転式の操作ダイヤルと、操作ダイヤルの天面への指の接触及び接触位置を検出する接触検出部と、接触検出部で接触が検出された場合に設定するモードの情報が記憶される第１記憶部であって、設定するモードの情報が、操作ダイヤルの天面に設定された複数の領域ごとに記憶される第１記憶部と、第１記憶部に記憶された情報、及び、接触検出部の検出結果に基づいて、モードを設定するモード設定部と、操作ダイヤルの操作対象をモードごとに定めた情報を記憶する第２記憶部と、第２記憶部に記憶された情報、及び、モード設定部で設定されたモードに基づいて、操作ダイヤルの操作対象を設定する操作対象設定部と、を備えたカメラ。【００１４】
本態様によれば、操作ダイヤルの天面を指で触れると、触れた位置に応じて、カメラのモードが切り替えられる。設定するモードは、たとえば、操作ダイヤルの天面を複数の領域に分割し、領域ごとに設定される。これにより、素早くモードを切り替えられる。また、本態様によれば、モードの切り替わりに連動して、操作ダイヤルの操作対象が切り替えられる。操作対象は、各モードでの主要な設定項目である。たとえば、露出モードの切り替えが可能な場合において、プログラムモードの場合はプログラムシフト、シャッタースピード優先モードの場合はシャッタースピード、絞り優先モードの場合は絞り値、マニュアルモードの場合はシャッタースピード又は絞り値、である。これにより、良好な操作性を提供できる。【００１５】
（２）接触検出部は、更に、接触が検出された指の移動及び移動方向を検出し、第１記憶部には、更に、指の移動が検出された場合に設定するモードの情報が記憶され、移動方向ごとに設定するモードの情報が記憶される、上記（１）のカメラ。【００１６】
本態様によれば、操作ダイヤルの天面に触れた指を移動させると、触れた位置に応じてカメラのモードが切り替えられるのに加えて、その移動方向に応じて、カメラのモードが切り替えられる。これにより、切り替え可能なモードの種類を増やせる。移動方向は、たとえば、前から後への移動、後から前への移動、右から左への移動、左から左への移動等を検出する。【００１７】
（３）回転式の操作ダイヤルと、操作ダイヤルの天面に接触した指の移動及び移動方向を検出する接触検出部と、接触検出部で指の移動が検出された場合に設定するモードの情報が記憶される第１記憶部であって、移動方向ごとに設定するモードの情報が記憶される第１記憶部と、第１記憶部に記憶された情報、及び、接触検出部の検出結果に基づいて、モードを設定するモード設定部と、操作ダイヤルの操作対象をモードごとに定めた情報を記憶する第２記憶部と、第２記憶部に記憶された情報、及び、モード設定部で設定されたモードに基づいて、操作ダイヤルの操作対象を設定する操作対象設定部と、を備えたカメラ。【００１８】
本態様によれば、操作ダイヤルの天面に指で触れて移動させると、移動させた方向に応じて、カメラのモードが切り替えられる。これにより、素早くモードを切り替えられる。また、本態様によれば、モードの切り替わりに連動して、操作ダイヤルの操作対象が切り替えられる。操作対象は、各モードでの主要な設定項目である。たとえば、露出モードの切り替えが可能な場合において、プログラムモードの場合はプログラムシフト、シャッタースピード優先モードの場合はシャッタースピード、絞り優先モードの場合は絞り値、マニュアルモードの場合はシャッタースピード又は絞り値、である。これにより、良好な操作性を提供できる。【００１９】
（４）回転式の操作ダイヤルと、操作ダイヤルの天面に設定される複数の接触検出領域への接触を個別に検出する接触検出部と、各接触検出領域に単独で触れた場合に設定するモードの情報を記憶する第１記憶部と、第１記憶部に記憶された情報、及び、接触検出部の検出結果に基づいて、モードを設定するモード設定部と、操作ダイヤルの操作対象をモードごとに定めた情報を記憶する第２記憶部と、第２記憶部に記憶された情報、及び、モード設定部で設定されたモードに基づいて、操作ダイヤルの操作対象を設定する操作対象設定部と、を備えたカメラ。【００２０】
本態様によれば、操作ダイヤルの天面に触れると、触れた領域に応じて、カメラのモードが切り替えられる。これにより、素早くモードを切り替えられる。また、本態様によれば、モードの切り替わりに連動して、操作ダイヤルの操作対象が切り替えられる。操作対象は、各モードでの主要な設定項目である。たとえば、露出モードの切り替えが可能な場合において、プログラムモードの場合はプログラムシフト、シャッタースピード優先モードの場合はシャッタースピード、絞り優先モードの場合は絞り値、マニュアルモードの場合はシャッタースピード又は絞り値、である。これにより、良好な操作性を提供できる。【００２１】
（５）第１記憶部は、標準で設定するモードの情報を更に記憶する、上記（４）のカメラ。【００２２】
本態様によれば、標準で設定するモードが用意される。標準で設定するモードとは、標準的に設定されるモードのことであり、操作ダイヤルの天面に触れて、モードを切り替える前に設定されるモードのことである。たとえば、接触検出領域として第１接触検出領域及び第２接触検出領域の２つの領域が操作ダイヤルの天面に設定された場合、最初に設定されるモードが標準で設定されるモードである。この状態から第１接触検出領域に触れると、第１モードに設定され、第２接触検出領域に触れると、第２モードに設定される。また、第１モードに設定された状態で第１接触検出領域に触れると、標準で設定するモードに戻され、第２接触検出領域に触れると、第２モードに設定される。【００２３】
（６）第１記憶部は、複数の接触検出領域を同時に触れた場合に設定するモードの情報を更に記憶する、上記（４）又は（５）のカメラ。【００２４】
本態様によれば、複数の接触検出領域を同時に触れると、特定のモードに設定される。これにより、設定した接触検出領域の数以上のモードに設定できる。操作ダイヤルのサイズが小さい場合に有効である。【００２５】
（７）操作ダイヤルの天面には、少なくとも第１接触検出領域及び第２接触検出領域が設定され、接触検出部は、少なくとも第１接触検出領域及び第２接触検出領域への接触を個別に検出し、第１記憶部には、第１接触検出領域に単独で触れた場合に設定するモードがシャッタースピード優先モードであり、第２接触検出領域に単独で触れた場合に設定するモードが絞り優先モードであることが記憶され、第２記憶部には、シャッタースピード優先モードに設定された場合の操作ダイヤルの操作対象がシャッタースピードであり、絞り優先モードに設定された場合の操作ダイヤルの操作対象が絞り値であることが記憶される、上記（４）のカメラ。【００２６】
本態様によれば、操作ダイヤルの天面に少なくとも２つの接触検出領域（第１接触検出領域及び第２接触検出領域）が設定される。第１接触検出領域に単独で触れると、シャッタースピード優先モードに設定され、第２接触検出領域に単独で触れると、絞り優先モードに設定される。シャッタースピード優先モードに設定されると、操作ダイヤルの操作対象がシャッタースピードに設定される。また、モードが絞り優先モードに設定されると、
操作ダイヤルの操作対象が絞り値に設定される。これにより、露出モードを素早く切り替えられる。また、各モードにおいて必要な設定を操作ダイヤルで簡単に設定できる。【００２７】
（８）第１記憶部には、標準で設定するモードがプログラムモードであることが更に記憶され、第２記憶部には、プログラムモードに設定された場合の操作ダイヤルの操作対象がプログラムシフトであることが更に記憶される、上記（７）のカメラ。【００２８】
本態様によれば、露出モードとして、更にプログラムモードを選択できる。プログラムモードは、標準で設定されるモードとして用意される。プログラムモードに設定されると、操作ダイヤルの操作対象がプログラムシフトに設定される。【００２９】
（９）第１記憶部には、第１接触検出領域及び第２接触検出領域に同時に触れた場合に設定するモードがマニュアルモードであることを更に記憶する、第２記憶部には、マニュアルモードに設定された場合の操作ダイヤルの操作対象が絞り値又はシャッタースピードであることが更に記憶される、上記（７）又は（８）のカメラ。【００３０】
本態様によれば、露出モードとして、更にマニュアルモードを選択できる。第１接触検出領域及び第２接触検出領域に同時に触れると、マニュアルモードに設定される。マニュアルモードに設定されると、操作ダイヤルの操作対象が絞り値又はシャッタースピードを設定される。【００３１】
（１０）操作ダイヤルの天面には、各接触検出領域に単独で触れた場合に設定される操作ダイヤルの操作対象の情報が、接触検出領域ごとに表示される、上記（４）から（９）のいずれか一のカメラ。【００３２】
本態様によれば、各接触検出領域に単独で触れた場合に設定される操作ダイヤルの操作対象の情報が、操作ダイヤルの天面に表示される。各情報は接触検出領域ごとに表示される。これにより、各接触検出領域に触れた場合に設定される操作ダイヤルの操作対象を一目で把握できる。また、これにより、直感的な操作が可能になる。【００３３】
（１１）操作ダイヤルの天面に備えられるダイヤル表示部と、ダイヤル表示部の表示を制御するダイヤル表示制御部と、を更に備え、ダイヤル表示制御部は、各接触検出領域に単独で触れた場合に設定される操作ダイヤルの操作対象の情報を接触検出領域ごとに表示する、上記（４）から（９）のいずれか一のカメラ。【００３４】
本態様によれば、操作ダイヤルの天面にダイヤル表示部が備えられる。ダイヤル表示部の表示は、ダイヤル表示制御部によって制御される。ダイヤル表示制御部は、各接触検出領域に単独で触れた場合に設定される操作ダイヤルの操作対象の情報を接触検出領域ごとに表示する。これにより、操作ダイヤルの操作対象を一目で把握できる。また、これにより、直感的な操作が可能になる。【００３５】
（１２）ダイヤル表示制御部は、設定されたモードに応じて、ダイヤル表示部の表示形態を変更する、上記（１１）のカメラ。【００３６】
本態様によれば、設定されたモードに応じて、ダイヤル表示部の表示形態が変更される。これにより、設定されているモードをダイヤル表示部の表示から一目で把握できる。【００３７】
（１３）設定表示部と、設定表示部の表示を制御する設定表示制御部と、を更に備え、設定表示制御部は、少なくともモード設定部で設定されるモードの情報を設定表示部に表示する、上記（４）から（１２）のいずれか一のカメラ。【００３８】
本態様によれば、モード設定部で設定されるモードの情報が設定表示部に表示される。これにより、現在設定されているモードを容易に把握できる。【００３９】
（１４）回転式の操作ダイヤルの天面への指の接触及び接触位置を検出する工程と、操作ダイヤルの天面への指の接触が検出された場合に設定するモードの情報であって、操作ダイヤルの天面に設定された複数の領域ごとに定められたモードの情報、及び、操作ダイヤルの天面への指の接触の検出結果に基づいて、モードを設定する工程と、操作ダイヤルの操作対象をモードごとに定めた情報、及び、設定されたモードに基づいて、操作ダイヤルの操作対象を設定する工程と、を備えたカメラの設定方法。【００４０】
本態様によれば、操作ダイヤルの天面を指で触れると、触れた位置に応じて、カメラのモードが切り替えられる。これにより、素早くモードを切り替えられる。また、本態様によれば、モードの切り替わりに連動して、操作ダイヤルの操作対象が切り替えられる。操作対象は、各モードでの主要な設定項目である。たとえば、露出モードの切り替えが可能な場合において、プログラムモードの場合はプログラムシフト、シャッタースピード優先モードの場合はシャッタースピード、絞り優先モードの場合は絞り値、マニュアルモードの場合はシャッタースピード又は絞り値、である。これにより、良好な操作性を提供できる。【００４１】
（１５）回転式の操作ダイヤルの天面に接触した指の移動及び移動方向を検出する工程と、操作ダイヤルの天面に接触した指の移動が検出された場合に設定するモードの情報であって、移動方向ごとに定められたモードの情報、及び、操作ダイヤルの天面への指の移動の検出結果に基づいて、モードを設定する工程と、操作ダイヤルの操作対象をモードごとに定めた情報、及び、設定されたモードに基づいて、操作ダイヤルの操作対象を設定する工程と、を備えたカメラの設定方法。【００４２】
本態様によれば、操作ダイヤルの天面に指で触れて移動させると、移動させた方向に応じて、カメラのモードが切り替えられる。これにより、素早くモードを切り替えられる。また、本態様によれば、モードの切り替わりに連動して、操作ダイヤルの操作対象が切り替えられる。操作対象は、各モードでの主要な設定項目である。たとえば、露出モードの切り替えが可能な場合において、プログラムモードの場合はプログラムシフト、シャッタースピード優先モードの場合はシャッタースピード、絞り優先モードの場合は絞り値、マニュアルモードの場合はシャッタースピード又は絞り値、である。これにより、良好な操作性を提供できる。【００４３】
（１６）回転式の操作ダイヤルの天面に設定される複数の接触検出領域への接触を個別に検出する工程と、各接触検出領域に単独で触れた場合に設定するモードの情報、及び、接触検出領域への接触の検出結果に基づいて、モードを設定する工程と、操作ダイヤルの操作対象をモードごとに定めた情報、及び、設定されたモードに基づいて、操作ダイヤルの操作対象を設定する工程と、を備えたカメラの設定方法。【００４４】
本態様によれば、操作ダイヤルの天面に触れると、触れた領域に応じて、カメラのモードが切り替えられる。これにより、素早くモードを切り替えられる。また、本態様によれば、モードの切り替わりに連動して、操作ダイヤルの操作対象が切り替えられる。操作対象は、各モードでの主要な設定項目である。たとえば、露出モードの切り替えが可能な場合において、プログラムモードの場合はプログラムシフト、シャッタースピード優先モードの場合はシャッタースピード、絞り優先モードの場合は絞り値、マニュアルモードの場合はシャッタースピード又は絞り値、である。これにより、良好な操作性を提供できる。【００４５】
（１７）回転式の操作ダイヤルの天面への指の接触及び接触位置を検出する接触検出部の検出結果、及び、操作ダイヤルの天面への指の接触が検出された場合に設定するモードの情報であって、操作ダイヤルの天面に設定された複数の領域ごとに定められたモードの情報に基づいて、モードを設定する機能と、操作ダイヤルの操作対象をモードごとに定めた情報、及び、設定されたモードに基づいて、操作ダイヤルの操作対象を設定する機能と、をコンピューターに実現させるカメラの設定プログラム。【００４６】
本態様によれば、操作ダイヤルの天面を指で触れると、触れた位置に応じて、カメラのモードが切り替えられる。これにより、素早くモードを切り替えられる。また、本態様によれば、モードの切り替わりに連動して、操作ダイヤルの操作対象が切り替えられる。操作対象は、各モードでの主要な設定項目である。たとえば、露出モードの切り替えが可能な場合において、プログラムモードの場合はプログラムシフト、シャッタースピード優先モードの場合はシャッタースピード、絞り優先モードの場合は絞り値、マニュアルモードの場合はシャッタースピード又は絞り値、である。これにより、良好な操作性を提供できる。【００４７】
（１８）回転式の操作ダイヤルの天面に接触した指の移動及び移動方向を検出する接触検出部の検出結果、及び、操作ダイヤルの天面に接触した指の移動が検出された場合に設定するモードの情報であって、移動方向ごとに定められたモードの情報に基づいて、モードを設定する機能と、操作ダイヤルの操作対象をモードごとに定めた情報、及び、設定されたモードに基づいて、操作ダイヤルの操作対象を設定する機能と、をコンピューターに実現させるカメラの設定プログラム。【００４８】
本態様によれば、操作ダイヤルの天面に指で触れて移動させると、移動させた方向に応じて、カメラのモードが切り替えられる。これにより、素早くモードを切り替えられる。また、本態様によれば、モードの切り替わりに連動して、操作ダイヤルの操作対象が切り替えられる。操作対象は、各モードでの主要な設定項目である。たとえば、露出モードの切り替えが可能な場合において、プログラムモードの場合はプログラムシフト、シャッタースピード優先モードの場合はシャッタースピード、絞り優先モードの場合は絞り値、マニュアルモードの場合はシャッタースピード又は絞り値、である。これにより、良好な操作性を提供できる。【００４９】
（１９）回転式の操作ダイヤルの天面に設定される複数の接触検出領域への接触を個別に検出する接触検出部の検出結果、及び、各接触検出領域に単独で触れた場合に設定するモードの情報に基づいて、モードを設定する機能と、操作ダイヤルの操作対象をモードごとに定めた情報、及び、設定されたモードに基づいて、操作ダイヤルの操作対象を設定する機能と、をコンピューターに実現させるカメラの設定プログラム。【００５０】
本態様によれば、操作ダイヤルの天面に触れると、触れた領域に応じて、カメラのモードが切り替えられる。これにより、素早くモードを切り替えられる。また、本態様によれば、モードの切り替わりに連動して、操作ダイヤルの操作対象が切り替えられる。操作対象は、各モードでの主要な設定項目である。たとえば、露出モードの切り替えが可能な場合において、プログラムモードの場合はプログラムシフト、シャッタースピード優先モードの場合はシャッタースピード、絞り優先モードの場合は絞り値、マニュアルモードの場合はシャッタースピード又は絞り値、である。これにより、良好な操作性を提供できる。
【発明の効果】
【００５１】
本発明によれば、簡素な構成で操作性のよいカメラを提供できる。
【図面の簡単な説明】
【００５２】
【図１】デジタルカメラの一例を示す正面図
【図２】デジタルカメラの一例を示す背面図
【図３】デジタルカメラの一例を示す平面図
【図４】レンズを装着したデジタルカメラの平面図
【図５】操作ダイヤルの概略構成を示す縦断面図
【図６】操作ダイヤルの概略構成を示す平面図
【図７】デジタルカメラの制御系の概略構成を示すブロック図
【図８】露出モードの設定、及び、操作ダイヤルの操作対象の設定に関わる機能のシステム構成を示すブロック図
【図９】接触検出領域の設定の一例を示す操作ダイヤルの平面図
【図１０】ダイヤルディスプレーの表示の一例を示す操作ダイヤルの平面図
【図１１】ダイヤルディスプレー及びサブディスプレーの表示の切り替わりの一例を示す図
【図１２】露出モードの設定処理の手順を示すフローチャート
【図１３】サブディスプレーの変形例を示す図
【図１４】操作ダイヤルで設定変更される項目を他の項目と区別可能にするサブディスプレーの表示の一例を示す図
【図１５】ダイヤルディスプレーの表示の変形例を示す図
【図１６】接触位置の検出の概念図
【図１７】操作ダイヤルの天面に設定する領域の一例を示す図
【図１８】ダイヤルディスプレーの表示の一例を示す図
【図１９】操作ダイヤルの天面に設定する領域の他の一例を示す図
【発明を実施するための形態】
【００５３】
以下、添付図面に従って本発明を実施するための好ましい形態について詳説する。
【００５４】
◆◆第１の実施の形態◆◆
［カメラの外観構成］
図１、図２、図３は、それぞれ本発明が適用されたデジタルカメラの一例を示す正面図、背面図、平面図である。
【００５５】
本明細書では、光軸Ｌに沿う方向（図３のｚ方向）を前後方向とし、被写体側を前方向とする。また、光軸Ｌと直交する面において、イメージセンサー５０の長辺に沿う方向（図１のｘ方向）を横方向又は左右方向とし、イメージセンサー５０の短辺に沿う方向（図１のｙ方向）を縦方向又は上下方向とする。
【００５６】
本実施の形態のデジタルカメラ１は、レンズ交換式のデジタルカメラであり、かつ、ノンレフレックス型のデジタルカメラである。レンズ交換式とは、レンズを交換できるデジタルカメラのことである。ノンレフレックス型とは、レンズからの入射光を光学式ファインダーに導くためのレフレックスミラーのないデジタルカメラのことであり、ミラーレスとも称される。
【００５７】
図４は、レンズを装着したデジタルカメラの平面図である。同図に示すように、本実施の形態のデジタルカメラ１は、カメラボディ１０にレンズ２を装着して使用する。
【００５８】
図１から図４に示すように、カメラボディ１０には、レンズマウント１２、メインディスプレー１４、サブディスプレー１６、電子ビューファインダー１８、ホットシュー２０等が備えられる。また、操作部材として、シャッターボタン３０、電源レバー３１、再生ボタン３４、消去ボタン３５、ＡＦロックボタン３６、ＡＥロックボタン３７、メニューボタン３８、セレクターボタン３９、ＢＡＣＫボタン４０、リアコマンドダイヤル４１、
及び、操作ダイヤル１１０等が備えられる。
【００５９】
《カメラボディ》
カメラボディ１０は、前後方向の厚みの薄い矩形の箱形状を有する。カメラボディ１０は、一方側（図１において左側）の端部がグリップ部として構成される。ユーザーは、グリップ部を把持してレリーズ操作する。グリップ部には、正面側にグリップ２２、背面側にサムレスト２４が備えられる。
【００６０】
《レンズマウント》
レンズマウント１２は、レンズ２の取り付け部である。図１に示すように、レンズマウント１２は、カメラボディ１０の正面に備えられる。レンズ２は、レンズマウント１２に着脱自在に装着される。レンズマウント１２は、バヨネット式で構成される。
【００６１】
《メインディスプレー》
メインディスプレー１４は、主として画像の表示に使用されるディスプレーである。図２に示すように、メインディスプレー１４は、カメラボディ１０の背面に備えられる。メインディスプレー１４は、たとえば、カラーＬＣＤ（ＬＣＤ：Liquid Crystal Display／液晶ディスプレー）で構成される。
【００６２】
上記のように、メインディスプレー１４は、主として画像の表示に使用される。表示する画像には、撮影済み画像の他、ライブビュー画像が含まれる。ライブビューとは、イメージセンサーで捉えた画像をリアルタイムに表示する機能のことである。ライブビューすることにより、メインディスプレー上で画角、フォーカス状態等の確認が可能になる。
【００６３】
また、メインディスプレー１４は、ＧＵＩ（ＧＵＩ：Graphical User Interface／グラフィカルユーザーインタフェース）としても利用される。すなわち、各種設定を行う際、メインディスプレー１４に設定画面が表示され、その設定画面で各種設定が行われる。
【００６４】
《サブディスプレー》
サブディスプレー１６は、メインディスプレー１４に比して小画面の表示装置で構成される。図３に示すように、サブディスプレー１６は、カメラボディ１０の天面に備えられる。サブディスプレー１６は、たとえば、照明を備えた反射型のＬＣＤで構成される。サブディスプレー１６は、矩形の表示面を有し、その短辺が光軸Ｌと平行に配置される。より具体的には、短辺が前後方向（ｚ方向）に沿って配置され、かつ、長辺が横方向（ｘ方向）に沿って配置される。サブディスプレー１６には、主としてデジタルカメラ１の設定内容が表示される。具体的な表示内容については後述する。
【００６５】
《電子ビューファインダー》
電子ビューファインダー（ＥＶＦ：Electronic View Finder）１８は、ＬＣＤを内蔵した電子式のファインダーである。電子ビューファインダー１８は、図２に示すように、カメラボディ１０の上部（いわゆる軍艦部）に備えられ、背面に接眼部が備えられる。
【００６６】
《ホットシュー》
ホットシュー２０は、外付けのフラッシュの取り付け部である。図３に示すように、ホットシュー２０は、カメラボディ１０の天面に備えられる。
【００６７】
《操作部材》
カメラボディ１０には、操作部材として、シャッターボタン３０、電源レバー３１、再生ボタン３４、消去ボタン３５、ＡＦロックボタン３６、ＡＥロックボタン３７、メニューボタン３８、セレクターボタン３９、ＢＡＣＫボタン４０、リアコマンドダイヤル４１、及び、操作ダイヤル１１０等が備えられる。
【００６８】
〈シャッターボタン〉
シャッターボタン３０は、カメラボディ１０の天面（上面）に備えられ、グリップ部側に配置される。シャッターボタン３０は、いわゆる半押しと全押しとからなる二段式のスイッチで構成される。シャッターボタン３０が半押しされると、撮影準備、すなわち、ＡＥ及びＡＦが実行され、全押しされると、本撮影、すなわち、記録用の撮影が実施される。なお、ＡＥとは、Automatic Exposure（自動露光）の略であり、カメラが被写体の明るさを自動的に計測し、適正露出を決定する機能のことである。また、ＡＦとは、Automatic Focus（自動焦点）の略であり、カメラが被写体との距離を自動的に計測し、焦点を合わせる機能のことである。
【００６９】
〈電源レバー〉
電源レバー３１は、シャッターボタン３０と同軸上に配置される。電源レバー３１は、回転式のレバーで構成される。電源レバー３１をオン位置に回転させると、デジタルカメラ１の電源がオンされ、オフ位置に回転させると、デジタルカメラ１の電源がオフされる。
【００７０】
〈再生ボタン〉
再生ボタン３４は、デジタルカメラ１のモードを再生モードに切り替えるボタンである。再生ボタン３４は、カメラボディ１０の背面に備えられ、メインディスプレー１４の上方に配置される。デジタルカメラ１のモードが撮影モードに設定されている状態で再生ボタン３４を押すと、デジタルカメラ１のモードが再生モードに切り替えられる。再生モードに設定されると、撮影済み画像の再生が可能になる。
【００７１】
なお、再生モードから撮影モードに切り替える機能は、シャッターボタン３０に割り当てられている。再生モードに設定されている状態でシャッターボタン３０を押すと、デジタルカメラ１のモードが撮影モードに切り替えられる。撮影モードに設定されると、撮影が可能になる。
【００７２】
〈消去ボタン〉
消去ボタン３５は、メインディスプレー１４に表示されている撮影済み画像の消去を指示するボタンである。消去ボタン３５は、カメラボディ１０の背面に備えられ、メインディスプレー１４の上方に配置される。撮影済み画像をメインディスプレー１４に表示している状態で消去ボタン３５を押すと、消去を確認する画面がメインディスプレー１４に表示される。メインディスプレー１４の表示に従って消去の実行を指示すると、再生中の撮影済み画像がメモリーカードから消去される。
【００７３】
〈ＡＦロックボタン〉
ＡＦロックボタン３６は、フォーカスのロックを指示するボタンである。図２に示すように、ＡＦロックボタン３６は、カメラボディ１０の背面に備えられ、サムレスト２４の近傍に配置される。ＡＦロックボタン３６を押すと、フォーカスがロックされる。
【００７４】
〈ＡＥロックボタン〉
ＡＥロックボタン３７は、露出のロックを指示するボタンである。図２に示すように、ＡＥロックボタン３７は、カメラボディ１０の背面に備えられ、サムレスト２４の近傍に配置される。ＡＥロックボタン３７を押すと、露出がロックされる。
【００７５】
〈メニューボタン〉
メニューボタン３８は、メニュー画面をメインディスプレー１４に呼び出すボタンである。メニューボタン３８は、カメラボディ１０の背面に備えられる。撮影モード又は再生モードに設定されている状態でメニューボタン３８を押すと、メインディスプレー１４にメニュー画面が表示される。
【００７６】
なお、メニューボタン３８は、ＯＫボタンとしても機能し、選択事項、確認事項等について、ＯＫを指示する際に使用される。
【００７７】
〈セレクターボタン〉
セレクターボタン３９は、メニューボタン３８を中心にして同一円上に配置された上下左右の４つのボタンで構成される。各ボタンには、デジタルカメラ１の設定状況に応じて種々の機能が割り当てられる。たとえば、デジタルカメラ１が再生モードに設定されている場合、図２において右方向のボタンには１コマ送りの機能が割り当てられ、左方向のボタンには１コマ戻しの機能が割り当てられる。また、上方向のボタンにはズームインの機能が割り当てられ、下方向のボタンにはズームアウトの機能が割り当てられる。また、デジタルカメラ１が撮影モードに設定されている場合、図２において右方向のボタンには、ホワイトバランスの設定画面を呼び出す機能が割り当てられ、左方向のボタンには、セルフタイマーの設定画面を呼び出す機能が割り当てられる。また、上方向のボタンには、ＡＦモードの設定画面を呼び出す機能が割り当てられ、下方向のボタンには、連写モードの設定画面を呼び出す機能が割り当てられる。更に、メインディスプレー１４で各種設定等を行う場合には、画面上でカーソルを各方向に移動させるボタンとして機能する。
【００７８】
〈ＢＡＣＫボタン〉
ＢＡＣＫボタン４０は、メインディスプレー１４の表示を１つ前の状態に戻すことを指示するボタンである。ＢＡＣＫボタン４０は、カメラボディ１０の背面に備えられる。各種設定画面がメインディスプレー１４に表示されている状態でＢＡＣＫボタン４０が押されると、メインディスプレー１４の表示が１つ前の状態に戻される。これにより、選択事項、確認事項等をキャンセルできる。
【００７９】
また、ＢＡＣＫボタン４０は、メインディスプレー１４の表示形態の切り替えを指示するボタンとしても機能する。再生モード又は撮影モードに設定されている状態において、ＢＡＣＫボタン４０が押されると、メインディスプレー１４の表示形態が切り替えられる。たとえば、再生モードに設定されている状態でＢＡＣＫボタン４０が押されると、メインディスプレー１４に表示されている画像の撮影条件、ヒストグラム等が画像に重ねて表示される。また、たとえば、撮影モードに設定されている状態でＢＡＣＫボタン４０が押されると、撮影条件、ヒストグラム等の各種情報がライブビュー画像に重ねて表示される。
【００８０】
〈リアコマンドダイヤル〉
リアコマンドダイヤル４１は、カメラボディ内で回転自在に支持され、その外周の一部がカメラボディ１０の背面に露出して設けられる。特に、本実施の形態のデジタルカメラ１では、カメラボディ１０をグリップする手の親指で操作可能な位置に配置される。リアコマンドダイヤル４１には、デジタルカメラ１の設定状態に応じて種々の機能が割り当てられる。
【００８１】
〈操作ダイヤル〉
操作ダイヤル１１０は、回転式の操作ダイヤルの一例である。操作ダイヤル１１０の操作対象は、モードによって自動的に切り替わる。この点については、後述する。
【００８２】
操作ダイヤル１１０は、カメラボディ１０の天面に備えられる。特に、本実施の形態のデジタルカメラ１では、カメラボディ１０の天面において、グリップ部側の端部に備えられる。これにより、カメラボディ１０をグリップしながら、そのグリップする手の指で操作ダイヤル１１０を操作できる。
【００８３】
図５は、操作ダイヤルの概略構成を示す縦断面図である。また、図６は、操作ダイヤルの概略構成を示す平面図である。
【００８４】
図５及び図６に示すように、操作ダイヤル１１０は、全体として円盤状の外観形状を有する。操作ダイヤル１１０は、内周部１１２及び外周部１１４を備える。内周部１１２は、回転しない固定部であり、外周部１１４は、回転する可動部である。内周部１１２は、円盤状の外観形状を有し、外周部１１４は、リング状の外観形状を有する。外周部１１４は、内周部１１２の外周に配置され、内周部１１２の外周を回転自在に設けられる。操作ダイヤル１１０は、外周部１１４を回転させて操作する。
【００８５】
操作ダイヤル１１０は、操作ダイヤル支持フレーム１１６を介してカメラボディ１０に組み付けられる。
【００８６】
内周部１１２は、下部同軸上に円柱状の支柱部１１２Ａを有する。内周部１１２は、支柱部１１２Ａが、操作ダイヤル支持フレーム１１６に固定されることにより、カメラボディ１０に固定して設けられる。
【００８７】
内周部１１２は、平坦な上端面を有する。内周部１１２の上端面が、操作ダイヤル１１０の天面を構成する。内周部１１２の上端部分には、タッチセンサー１３０及びダイヤルディスプレー１３２が備えられる。
【００８８】
タッチセンサー１３０は、接触検出部の一例である。タッチセンサー１３０は、内周部１１２の上端面に設定された複数の接触検出領域への接触を個別に検出する。タッチセンサー１３０の検出結果に基づいて露出モードが切り替えられる。この点については、後述する。
【００８９】
ダイヤルディスプレー１３２は、ダイヤル表示部の一例である。ダイヤルディスプレー１３２は、ＬＣＤで構成される。ダイヤルディスプレー１３２は、円形の表示部を有し、内周部１１２のほぼ全域が表示領域とされる。
【００９０】
タッチセンサー１３０は、ダイヤルディスプレー１３２の上に重ねて配置される。すなわち、内周部１１２は、上端面にタッチパネルを備えた構造を有する。
【００９１】
外周部１１４は、下部同軸上に円筒状の軸部１１４Ａを有し、その軸部１１４Ａが、軸受１１８を介して、操作ダイヤル支持フレーム１１６に回転自在に支持される。
【００９２】
なお、外周部１１４は、正逆回転可能に支持される。図５及び図６において、符号Ｒ＋で示す矢印の方向（反時計回りの回転方向）をプラスの回転方向、符号Ｒ−で示す矢印の方向（時計回りの回転方向）をマイナスの回転方向とする。
【００９３】
操作ダイヤル支持フレーム１１６には、クリック機構１２０が備えられる。クリック機構１２０は、操作ダイヤル１１０の外周部１１４の回転にクリック感を発生させる。
【００９４】
クリック機構１２０は、クリック溝板金１２０Ａと、クリックボール１２０Ｂと、クリックバネ１２０Ｃと、を備えて構成される。
【００９５】
クリック溝板金１２０Ａは、中央に円形の穴を備えた円盤形状を有する。クリック溝板金１２０Ａは、その中央の穴に外周部１１４の軸部１１４Ａが通されて、外周部１１４の軸部１１４Ａに固定される。クリック溝板金１２０Ａは、外周部１１４と同軸上に配置され、外周部１１４と共に回転する。
【００９６】
クリック溝板金１２０Ａには、同一円周上に一定の間隔で複数のクリック溝１２０ａが備えられる。クリック溝１２０ａは、球面状の窪みとして、クリック溝板金１２０Ａの上面に備えられる。このクリック溝１２０ａの配置間隔が、クリック感を発生させる間隔となる。
【００９７】
クリックボール１２０Ｂは、クリック溝１２０ａに嵌入して、クリック感を発生させる部材である。クリックボール１２０Ｂは、操作ダイヤル支持フレーム１１６に備えられる。操作ダイヤル支持フレーム１１６には、クリックボール１２０Ｂを収容するクリックボール収容穴１１６Ａが備えられる。クリックボール収容穴１１６Ａは、有底の穴として、外周部１１４の回転軸と平行に設けられる。また、クリックボール収容穴１１６Ａは、クリック溝１２０ａと対向する位置に備えられる。
【００９８】
クリックバネ１２０Ｃは、クリックボール１２０Ｂをクリック溝板金１２０Ａに向けて付勢する部材である。クリックバネ１２０Ｃは、クリックボール収容穴１１６Ａに収容される。
【００９９】
以上のように構成されるクリック機構１２０の作用は、次のとおりである。
【０１００】
操作ダイヤル１１０の外周部１１４を回転させると、クリック溝板金１２０Ａが回転する。クリック溝板金１２０Ａが回転すると、一定の角度間隔でクリックボール１２０Ｂがクリック溝１２０ａに嵌入する。これにより、一定の角度間隔でクリック感が発生する。
【０１０１】
また、クリック感が発生したところで回転を止めると、クリックボール１２０Ｂがクリック溝１２０ａに嵌入する。これにより、回転が止められる。すなわち、一定以上の負荷を掛けて回さない限り、停止状態が維持される。クリックボール１２０Ｂがクリック溝１２０ａに嵌入して回転が止められることをクリックストップと称する。
【０１０２】
クリックストップする位置をクリックポジションとすると、クリックポジションの数はクリック溝１２０ａの数と同数になる。また、その間隔もクリック溝１２０ａの間隔と同じになる。たとえば、１回転当たりのクリックポジションの数が１０個の場合、クリック溝１２０ａの配置間隔は３６°となる。この場合、外周部１１４を回転操作すると、３６°の間隔でクリック感が発生する。また、３６°の間隔でクリックストップさせることができる。
【０１０３】
操作ダイヤル１１０の外周部１１４の回転は、回転検出部１２６によって検出される。回転検出部１２６は、操作ダイヤル１１０の外周部１１４の回転方向及び回転量を検出する。回転検出部１２６は、ロータリーエンコーダーで構成され、操作ダイヤル１１０の外周部１１４の回転を検出して、操作ダイヤル１１０の回転方向及び回転量を検出する。
【０１０４】
たとえば、１回転当たりのクリックポジションの数が１０の場合、プラス方向Ｒ＋に３６°回転したことを検出することにより、操作ダイヤル１１０がプラス方向Ｒ＋に１クリック分回転操作されたことを検出できる。
【０１０５】
［制御系］
図７は、デジタルカメラの制御系の概略構成を示すブロック図である。
【０１０６】
デジタルカメラ１は、イメージセンサー５０、イメージセンサー駆動部５２、シャッター５４、シャッター駆動部５６、アナログ信号処理部５８、画像データ入力部６０、ワークメモリ６２、データメモリ６４、デジタル信号処理部６６、記録制御部６８、メインディスプレー駆動部７０、サブディスプレー駆動部７２、操作部７４、システムコントローラー８０等を有する。
【０１０７】
イメージセンサー５０は、レンズ２を介して結像した被写体の光学像を電気信号に変換して出力する。イメージセンサー５０には、ＣＣＤイメージセンサー（ＣＣＤ：Charged Coupled Device）、ＣＭＯＳイメージセンサー（ＣＭＯＳ：Complementary Metal Oxide Semiconductor）等の公知のイメージセンサーが使用される。
【０１０８】
イメージセンサー駆動部５２は、システムコントローラー８０からの指令に応じて、イメージセンサー５０を駆動する。
【０１０９】
シャッター５４は、スクエア型のフォーカルプレーンシャッターで構成され、イメージセンサー５０の直前に配置される。なお、図１は、シャッターが全開された状態が示されている。
【０１１０】
シャッター駆動部５６は、システムコントローラー８０からの指令に応じて、シャッター５４を駆動する。
【０１１１】
アナログ信号処理部５８は、イメージセンサー５０から出力された信号を取り込み、相関二重サンプリング処理、増幅処理等の所要の信号処理を施す。また、アナログ信号処理部５８は、所要の信号処理を施したアナログの画像信号をデジタルの画像信号に変換して出力する。
【０１１２】
画像データ入力部６０は、システムコントローラー８０からの指令に応じて、アナログ信号処理部５８から出力されるデジタルの画像信号を取り込む。取り込まれた１枚分の画像データは、ワークメモリ６２に格納される。
【０１１３】
ワークメモリ６２は、作業用のメモリとして利用される。データメモリ６４は、ＥＥＰＲＯＭ （ＥＥＰＲＯＭ：Electrically Erasable Programmable Read Only Memory）等の不揮発性メモリで構成され、制御等に必要なデータが記憶される。
【０１１４】
デジタル信号処理部６６は、ワークメモリ６２に取り込まれた画像データに対して、同時化処理、ホワイトバランス補正、ガンマ補正、輪郭補正等の所要の信号処理を施し、輝度データ（Ｙデータ）と色差データ（Ｃｒ，Ｃｂデータ）とからなる所定の画像データを生成する。
【０１１５】
記録制御部６８は、システムコントローラー８０からの指令に応じて、メモリーカード７８にアクセスし、データを読み書きする。撮影により得られた画像データは、メモリーカード７８に記録される。
【０１１６】
メインディスプレー駆動部７０は、システムコントローラー８０からの指令に応じて、メインディスプレー１４を駆動する。
【０１１７】
サブディスプレー駆動部７２は、システムコントローラー８０からの指令に応じて、サブディスプレー１６を駆動する。
【０１１８】
操作部７４は、シャッターボタン３０、電源レバー３１、再生ボタン３４、消去ボタン
３５、ＡＦロックボタン３６、ＡＥロックボタン３７、メニューボタン３８、セレクターボタン３９、ＢＡＣＫボタン４０、リアコマンドダイヤル４１、及び、操作ダイヤル１１０等を含み、各操作部材の操作に応じた信号をシステムコントローラー８０に出力する。
【０１１９】
システムコントローラー８０は、デジタルカメラ１の各部の動作を制御する制御部である。システムコントローラー８０の機能は、図示しないマイクロコンピューターによって提供される。すなわち、マイクロコンピューターが所定のプログラムを実行することによりシステムコントローラー８０として機能する。
【０１２０】
システムコントローラー８０は、レンズ２の制御部としても機能する。システムコントローラー８０は、レンズ２に備えられたレンズ駆動部２ａを介して、レンズ２の動作を制御する。レンズ２は、絞り、フォーカスレンズ等を備える。レンズ駆動部２ａは、絞りを駆動する絞り駆動部、フォーカスレンズを駆動するフォーカスレンズ駆動部等を備える。
【０１２１】
［露出モードの設定］
本実施の形態のデジタルカメラ１は、操作ダイヤル１１０の天面に触れることによって、露出モードの切り替えが行われる。そして、その露出モードの切り替わりに連動して、操作ダイヤル１１０の操作対象が切り替えられる。以下、露出モードの設定、及び、操作ダイヤルの操作対象の設定に関わる機能について説明する。
【０１２２】
《構成》
図８は、露出モードの設定、及び、操作ダイヤルの操作対象の設定に関わる機能のシステム構成を示すブロック図である。
【０１２３】
同図に示すように、露出モードの設定、及び、操作ダイヤルの操作対象の設定に関わる機能を構成するシステムは、操作ダイヤル１１０と、操作ダイヤル１１０の天面に設定された複数の接触検出領域への接触を個別に検出するタッチセンサー１３０と、設定すべき露出モードの情報、及び、設定すべき操作対象の情報が記憶されたデータメモリ６４と、タッチセンサー１３０の検出結果に基づいて露出モードを設定する露出モード設定部１５０と、露出モード設定部１５０で設定された露出モードに基づいて操作ダイヤル１１０の操作対象を設定する操作対象設定部１５２と、操作ダイヤル１１０の操作に基づいて、操作対象設定部１５２で設定された操作対象の設定を変更する設定変更部１５４と、ダイヤルディスプレー１３２と、ダイヤルディスプレー１３２の表示を制御するダイヤル表示制御部１５６と、サブディスプレー１６と、サブディスプレー１６の表示を制御するサブディスプレー表示制御部１５８と、を備える。
【０１２４】
〈操作ダイヤル〉
操作ダイヤル１１０は、天面に複数の接触検出領域が設定される。本実施の形態のデジタルカメラ１には、操作ダイヤル１１０の天面に２つの接触検出領域が設定される。
【０１２５】
図９は、接触検出領域の設定の一例を示す操作ダイヤルの平面図である。同図において、斜線で示す領域が接触検出領域である。
【０１２６】
図９に示すように、操作ダイヤル１１０の天面には、２つの接触検出領域Ｚ１、Ｚ２が設定される。２つの接触検出領域Ｚ１、Ｚ２は、同じ形状、同じ面積で設定される。また、２つの接触検出領域Ｚ１、Ｚ２は、操作ダイヤル１１０の中心に対して、前後対称に設定される。前方向に設定される接触検出領域Ｚ１を第１接触検出領域Ｚ１とし、後方向に設定される接触検出領域Ｚ２を第２接触検出領域Ｚ２とする。第１接触検出領域Ｚ１は、操作ダイヤル１１０の中心よりも前側の領域への接触を検出する領域として設定される。第２接触検出領域Ｚ２は、操作ダイヤル１１０の中心よりも後側の領域への接触を検出する領域として設定される。
【０１２７】
〈タッチセンサー〉
タッチセンサー１３０は、第１接触検出領域Ｚ１及び第２接触検出領域Ｚ２への接触を個別に検出する。
【０１２８】
〈データメモリ〉
データメモリ６４は、第１記憶部及び第２記憶部の一例である。データメモリ６４には、設定すべき露出モードの情報、及び、設定すべき操作対象の情報が記憶される。
【０１２９】
〔設定すべき露出モードの情報〕
設定すべき露出モードの情報とは、タッチセンサー１３０の検出結果に応じて設定すべき露出モードの情報のことである。設定すべき露出モードの情報には、標準で設定する露出モードの情報と、第１接触検出領域Ｚ１に触れた場合に設定する露出モードの情報と、第２接触検出領域Ｚ２に触れた場合に設定する露出モードの情報と、第１接触検出領域Ｚ１及び第２接触検出領域Ｚ２に同時に触れた場合に設定する露出モードの情報と、が含まれる。標準で設定する露出モードとは、標準的に設定される露出モードのことであり、操作ダイヤル１１０の天面に触れて、露出モードを切り替える前に設定される露出モードのことである。設定すべき露出モードの情報は、たとえば、露出モード設定テーブルとして、テーブル形式で生成され、データメモリ６４に格納される。
【０１３０】
本実施の形態のデジタルカメラ１では、設定すべき露出モードが、次のように設定されている。
【０１３１】
（１）標準で設定される露出モード：プログラムモード
（２）第１接触検出領域Ｚ１に単独で触れた場合に設定するモード：シャッタースピード優先モード
（３）第２接触検出領域Ｚ２に単独で触れた場合に設定するモード：絞り優先モード
（４）第１接触検出領域Ｚ１及び第２接触検出領域Ｚ２に同時に触れた場合に設定するモード：マニュアルモード
〔設定すべき操作対象の情報〕
設定すべき操作対象の情報とは、設定された露出モードに応じて設定すべき操作ダイヤル１１０の操作対象のことである。本実施の形態のデジタルカメラ１の場合、設定すべき操作対象の情報には、プログラムモードに設定された場合に設定すべき操作対象の情報と、シャッタースピード優先モードに設定された場合に設定すべき操作対象の情報と、絞り優先モードに設定された場合に設定すべき操作対象の情報と、マニュアルモードに設定された場合に設定すべき操作対象の情報と、が含まれる。設定すべき操作対象の情報は、たとえば、操作対象設定テーブルとして、テーブル形式で生成され、データメモリ６４に格納される。
【０１３２】
本実施の形態のデジタルカメラ１では、設定すべき操作対象が、次のように設定されている。
【０１３３】
（１）プログラムモード：プログラムシフト
（２）シャッタースピード優先モード：シャッタースピード
（３）絞り優先モード：絞り値
（４）マニュアルモード：シャッタースピード又は絞り値
マニュアルモードの場合、操作ダイヤル１１０の操作対象は、シャッタースピード又は絞り値に設定される。いずれに設定するかは、あらかじめユーザーによって定められる。この設定は、メニュー画面で行われる。操作ダイヤル１１０の操作対象をシャッタースピードとした場合、絞り値の設定はリアコマンドダイヤル４１で行われる。同様に、操作ダイヤル１１０の操作対象を絞り値とした場合、シャッタースピードの設定はリアコマンドダイヤル４１で行われる。
【０１３４】
〈露出モード設定部〉
露出モード設定部１５０は、タッチセンサー１３０に基づいて、露出モードを設定する。露出モード設定部１５０は、露出モード設定テーブルを参照して、露出モードを設定する。露出モードの設定は、現在の露出モードを基準にして行われ、次のように行われる。
【０１３５】
〔現在の露出モードがプログラムモードの場合〕
第１接触検出領域Ｚ１に単独で触れたことが検出されると、露出モードをシャッタースピード優先モードに切り替える。また、第２接触検出領域Ｚ２に単独で触れたことが検出されると、露出モードを絞り優先モードに切り替える。また、第１接触検出領域Ｚ１及び第２接触検出領域Ｚ２に同時に触れたことが検出されると、露出モードをマニュアルモードに切り替える。
【０１３６】
〔現在の露出モードがシャッタースピード優先モードの場合〕
第１接触検出領域Ｚ１に単独で触れたことが検出されると、露出モードをプログラムモードに切り替える。また、第２接触検出領域Ｚ２に単独で触れたことが検出されると、露出モードを絞り優先モードに切り替える。また、第１接触検出領域Ｚ１及び第２接触検出領域Ｚ２に同時に触れたことが検出されると、露出モードをマニュアルモードに切り替える。
【０１３７】
〔現在の露出モードが絞り優先モードの場合〕
第１接触検出領域Ｚ１に単独で触れたことが検出されると、露出モードをシャッタースピード優先モードに切り替える。また、第２接触検出領域Ｚ２に単独で触れたことが検出されると、露出モードをプログラムモードに切り替える。また、第１接触検出領域Ｚ１及び第２接触検出領域Ｚ２に同時に触れたことが検出されると、露出モードをマニュアルモードに切り替える。
【０１３８】
〔現在の露出モードがマニュアルモードの場合〕
第１接触検出領域Ｚ１に単独で触れたことが検出されると、露出モードをシャッタースピード優先モードに切り替える。また、第２接触検出領域Ｚ２に単独で触れたことが検出されると、露出モードを絞り優先モードに切り替える。また、第１接触検出領域Ｚ１及び第２接触検出領域Ｚ２に同時に触れたことが検出されると、露出モードをプログラムモードに切り替える。
【０１３９】
このように、プログラムモードから他の露出モードに移行させた場合、同じ接触検出領域に触れると、プログラムモードに復帰し、他の接触検出領域に触れると他の露出モードに移行する。
【０１４０】
露出モード設定部１５０の機能は、システムコントローラー８０の一機能として提供される。すなわち、システムコントローラー８０を構成するマイクロコンピューターが所定のプログラムを実行することにより、システムコントローラー８０の一機能として露出モード設定部１５０の機能が提供される。
【０１４１】
露出モード設定部１５０で設定された露出モードの情報は、データメモリ６４に格納される。
【０１４２】
〈操作対象設定部〉
操作対象設定部１５２は、露出モード設定部１５０で設定された露出モードに基づいて、操作ダイヤル１１０の操作対象を設定する。操作対象設定部１５２は、操作対象設定テーブルを参照して、操作ダイヤル１１０の操作対象を設定する。
【０１４３】
露出モードがプログラムモードに設定された場合、操作対象設定部１５２は、操作ダイヤル１１０の操作対象をプログラムシフトに設定する。
【０１４４】
露出モードがシャッタースピード優先モードに設定された場合、操作対象設定部１５２は、操作ダイヤル１１０の操作対象をシャッタースピードに設定する。
【０１４５】
露出モードが絞り優先モードに設定された場合、操作対象設定部１５２は、操作ダイヤル１１０の操作対象を絞り値に設定する。
【０１４６】
露出モードがマニュアルモードに設定された場合、操作対象設定部１５２は、ユーザーの設定に基づき、操作ダイヤル１１０の操作対象をシャッタースピード又は絞り値に設定する。
【０１４７】
操作対象設定部１５２の機能は、システムコントローラー８０の一機能として提供される。すなわち、システムコントローラー８０を構成するマイクロコンピューターが所定のプログラムを実行することにより、システムコントローラー８０の一機能として操作対象設定部１５２の機能が提供される。
【０１４８】
操作対象設定部１５２で設定された操作ダイヤル１１０の操作対象の情報は、データメモリ６４に格納される。
【０１４９】
〈設定変更部〉
設定変更部１５４は、操作ダイヤル１１０の操作に基づいて、操作対象設定部１５２で設定された操作対象の設定を変更する。
【０１５０】
たとえば、操作ダイヤル１１０の操作対象がプログラムシフトに設定された場合、設定変更部１５４は、操作ダイヤル１１０の操作に応じて、絞り値とシャッタースピードの組み合わせを変更する。たとえば、操作ダイヤル１１０が反時計回りに回転操作された場合、設定変更部１５４は、その回転量に応じて、シャッタースピードが速くなる組み合わせ（＝絞り値が小さくなる組み合わせ）に変更する。一方、操作ダイヤル１１０が時計回りに回転操作された場合、設定変更部１５４は、その回転量に応じて、シャッタースピードが遅くなる組み合わせ（＝絞り値が大きくなる組み合わせ）に変更する。
【０１５１】
また、たとえば、操作ダイヤル１１０の操作対象がシャッタースピードに設定された場合、設定変更部１５４は、操作ダイヤル１１０の操作に応じて、シャッタースピードを変更する。たとえば、操作ダイヤル１１０が反時計回りに回転操作された場合、設定変更部１５４は、その回転量に応じて、シャッタースピードを速くする。一方、操作ダイヤル１１０が時計回りに回転操作された場合、設定変更部１５４は、その回転量に応じて、シャッタースピードを遅くする。
【０１５２】
また、たとえば、操作ダイヤル１１０の操作対象が絞り値に設定された場合、設定変更部１５４は、操作ダイヤル１１０の操作に応じて、絞り値を変更する。たとえば、操作ダイヤル１１０が反時計回りに回転操作された場合、設定変更部１５４は、その回転量に応じて、絞り値を小さくする（絞りを開く）。一方、操作ダイヤル１１０が時計回りに回転操作された場合、その回転量に応じて、絞り値を大きくする（絞りを絞る）。
【０１５３】
設定変更部１５４の機能は、システムコントローラー８０の一機能として提供する。すなわち、システムコントローラー８０を構成するマイクロコンピューターが所定のプログラムを実行することにより、システムコントローラー８０の一機能として設定変更部１５４の機能が提供される。
【０１５４】
〈ダイヤルディスプレー〉
ダイヤルディスプレー１３２には、各接触検出領域に単独で触れた場合に設定される操作ダイヤル１１０の操作対象の情報が接触検出領域ごとに表示される。
【０１５５】
図１０は、ダイヤルディスプレーの表示の一例を示す操作ダイヤルの平面図である。
【０１５６】
同図に示すように、ダイヤルディスプレー１３２の表示領域には、第１表示領域Ｄｚ１及び第２表示領域Ｄｚ２が設定される。第１表示領域Ｄｚ１及び第２表示領域Ｄｚ２は、同じ形状、同じ面積で構成され、操作ダイヤル１１０の中心に対して、前後対称に配置される。本実施の形態のデジタルカメラ１では、第１表示領域Ｄｚ１及び第２表示領域Ｄｚ２が、共に半円形状の領域として設定されている。
【０１５７】
第１表示領域Ｄｚ１は、第１接触検出領域Ｚ１に対応した領域である。本例では、第１表示領域Ｄｚ１の内側に第１接触検出領域Ｚ１を設定している。第１接触検出領域Ｚ１に触れると、必然的に第１接触検出領域Ｚ１に触れる構成とされている。
【０１５８】
第２表示領域Ｄｚ２は、第２接触検出領域Ｚ２に対応した領域である。本例では、第２表示領域Ｄｚ２の内側に第２接触検出領域Ｚ２を設定している。第２接触検出領域Ｚ２に触れると、必然的に第２接触検出領域Ｚ２に触れる構成とされている。
【０１５９】
第１接触検出領域Ｚ１に単独で触れた場合に設定される露出モードは、シャッタースピード優先モードである。シャッタースピード優先モードに設定された場合に設定される操作ダイヤル１１０の操作対称はシャッタースピードである。このため、第１表示領域Ｄｚ１には、第１接触検出領域Ｚ１に単独で触れた場合に設定される操作ダイヤル１１０の操作対象の情報として、シャッタースピードを表わす「ＳＨＵＴＴＥＲ」の文字が半円状の枠内に表示される。
【０１６０】
第２接触検出領域Ｚ２に単独で触れた場合に設定される露出モードは、絞り優先モードである。絞り優先モードに設定された場合に設定される操作ダイヤル１１０の操作対称は絞り値である。このため、第２表示領域Ｄｚ２には、第２接触検出領域Ｚ２に単独で触れた場合に設定される操作ダイヤル１１０の操作対象の情報として、絞りを表わす「ＩＲＩＳ」の文字が半円状の枠内に表示される。
【０１６１】
ダイヤルディスプレー１３２の表示は、設定された露出モードに応じて、第１表示領域Ｄｚ１及び第２表示領域Ｄｚ２の表示形態が切り替えられる。本実施の形態のデジタルカメラ１では、設定された露出モードに応じて、対応する表示領域の表示が反転する。すなわち、文字と背景の色が反転する。
【０１６２】
図１１は、ダイヤルディスプレー及びサブディスプレーの表示の切り替わりの一例を示す図である。同図（Ａ）は、露出モードがプログラムモードに設定された場合の表示の一例を示している。同図（Ｂ）は、露出モードがシャッタースピード優先モードに設定された場合の表示の一例を示している。同図（Ｃ）は、露出モードがマニュアルモードに設定された場合の表示の一例を示している。同図（Ｄ）は、露出モードが絞り優先モードに設定された場合の表示の一例を示している。
【０１６３】
同図（Ａ）に示すように、プログラムモードの場合、第１表示領域Ｄｚ１及び第２表示領域Ｄｚ２は、共に白地に黒文字で操作対称の情報が表示される。
【０１６４】
同図（Ｂ）に示すように、第１接触検出領域Ｚ１に触れて、露出モードがシャッタースピード優先モードに設定されると、第１表示領域Ｄｚ１の表示のみが反転する。すなわち、黒地に白文字で操作対称の情報が表示される。
【０１６５】
同図（Ｃ）に示すように、第１接触検出領域Ｚ１及び第２接触検出領域Ｚ２に同時に触れて、露出モードがマニュアルモードに設定されると、第１表示領域Ｄｚ１及び第２表示領域Ｄｚ２の双方の表示が反転する。すなわち、両方とも黒地に白文字で操作対称の情報が表示される。
【０１６６】
同図（Ｄ）に示すように、第２接触検出領域Ｚ２に触れて、露出モードが絞り優先モードに設定されると、第２表示領域Ｄｚ２の表示のみが反転する。すなわち、黒地に白文字で操作対称の情報が表示される。
【０１６７】
このように、ダイヤルディスプレー１３２の表示は、設定された露出モードに応じて、表示形態が切り替えられる。これにより、ダイヤルディスプレー１３２の表示から一目で設定されている露出モードを把握できる。
【０１６８】
〈ダイヤル表示制御部〉
ダイヤル表示制御部１５６は、ダイヤルディスプレー駆動部１６０を介して、ダイヤルディスプレー１３２の表示を制御する。すなわち、図１０に示すように、所定の情報が所定のレイアウトで表示されるように、ダイヤルディスプレー１３２の表示を制御する。また、ダイヤル表示制御部１５６は、露出モード設定部１５０で設定される露出モードに基づいて、ダイヤルディスプレー１３２の表示を制御する。すなわち、図１１に示すように、設定された露出モードに応じて、各表示領域Ｄｚ１、Ｄｚ２の表示形態が切り替わるように、ダイヤルディスプレー１３２の表示を制御する。
【０１６９】
ダイヤル表示制御部１５６の機能は、システムコントローラー８０の一機能として提供される。すなわち、システムコントローラー８０を構成するマイクロコンピューターが所定のプログラムを実行することにより、システムコントローラー８０の一機能としてダイヤル表示制御部１５６の機能が提供される。
【０１７０】
〈サブディスプレー〉
サブディスプレー１６は、設定表示部の一例である。サブディスプレー１６には、主としてデジタルカメラ１の設定内容が表示される。図１１に示すように、本実施の形態のデジタルカメラ１では、シャッタースピードの情報ｉ１、絞り値の情報ｉ２、ＩＳＯ感度（ＩＳＯ：International Organization for Standardization／国際標準化機構）の情報ｉ３、露出補正量の情報ｉ４、及び、露出モードの情報ｉ５が、カメラの設定内容として表示される。各情報は、あらかじめ定められたレイアウトで表示される。
【０１７１】
なお、図１１は、いずれもシャッタースピードが１／２０００秒、絞り値がＦ２．８、ＩＳＯ感度がＩＳＯ４００、露出補正量が±０（露出補正なし）の場合を示している。
【０１７２】
露出モードの情報ｉ５は、アイコンの形式で表示される。アイコンは、四角い枠内に各露出モードを表わすアルファベット１文字を表示した形態で表現される。各露出モードを表わすアルファベット１文字は、プログラムモードが「Ｐ」、シャッタースピード優先モードが「Ｓ」、絞り優先モードが「Ａ」、マニュアルモードが「Ｍ」である。
【０１７３】
サブディスプレー１６の表示を確認することにより、現在設定されている露出モードの他、撮影に関わる主要な設定内容を確認できる。
【０１７４】
〈サブディスプレー表示制御部〉
サブディスプレー表示制御部１５８は、設定表示制御部の一例である。サブディスプレー表示制御部１５８は、サブディスプレー駆動部７２を介して、サブディスプレー１６の表示を制御する。サブディスプレー表示制御部１５８は、サブディスプレー１６に表示する各項目の情報を設定情報として取得し、あらかじめ定められたレイアウトでサブディスプレー１６に表示する。
【０１７５】
サブディスプレー表示制御部１５８の機能は、システムコントローラー８０の一機能として提供される。すなわち、システムコントローラー８０を構成するマイクロコンピューターが所定のプログラムを実行することにより、システムコントローラー８０の一機能としてサブディスプレー表示制御部１５８の機能が提供される。
【０１７６】
［露出モードの設定方法］
次に、上記のように構成される本実施の形態のデジタルカメラ１における露出モードの設定方法について説明する。
【０１７７】
図１２は、露出モードの設定処理の手順を示すフローチャートである。
【０１７８】
デジタルカメラ１の電源がＯＮされると、まず、初期設定が行われる（ステップＳ１１）。初期設定は、前回設定されていた露出モードを再設定する処理である。露出モードの設定に連動して、操作ダイヤル１１０の操作対象が再設定される。前回設定されていた露出モードとは、電源ＯＦＦ時に設定されていた露出モードのことである。初期設定は、前回設定されていた露出モードの情報を読み出して行われる。
【０１７９】
初期設定により、露出モードが設定されると、設定された露出モードの情報がサブディスプレー１６に表示される（図１１参照）。また、設定された露出モードに応じた表示形態でダイヤルディスプレー１３２が表示される（図１１参照）。
【０１８０】
初期設定が完了することにより、撮影が可能になる。この後、操作ダイヤル１１０の天面への接触が検出されたか否かが判定される（ステップＳ１２）。この検出は、タッチセンサー１３０の出力に基づいて行われる。
【０１８１】
操作ダイヤル１１０の天面への接触が検出されると、露出モードの切り替え処理が行われる（ステップＳ１３）。
【０１８２】
現在の露出モードがプログラムモードの場合、第１接触検出領域Ｚ１への接触が検出されると、シャッタースピード優先モードに切り替えられる。また、第２接触検出領域Ｚ２への接触が検出されると、絞り優先モードに切り替えられる。また、第１接触検出領域Ｚ１及び第２接触検出領域Ｚ２への接触が同時に検出されると、マニュアルモードに切り替えられる。
【０１８３】
現在の露出モードがシャッタースピード優先モードの場合、第１接触検出領域Ｚ１への接触が検出されると、プログラムモードに切り替えられる。また、第２接触検出領域Ｚ２への接触が検出されると、絞り優先モードに切り替えられる。また、第１接触検出領域Ｚ１及び第２接触検出領域Ｚ２への接触が同時に検出されると、マニュアルモードに切り替えられる。
【０１８４】
現在の露出モードが絞り優先モードの場合、第１接触検出領域Ｚ１への接触が検出されると、シャッタースピード優先モードに切り替えられる。また、第２接触検出領域Ｚ２への接触が検出されると、プログラムモードに切り替えられる。また、第１接触検出領域Ｚ１及び第２接触検出領域Ｚ２への接触が同時に検出されると、マニュアルモードに切り替えられる。
【０１８５】
現在の露出モードがマニュアルモードの場合、第１接触検出領域Ｚ１への接触が検出されると、シャッタースピード優先モードに切り替えられる。また、第２接触検出領域Ｚ２への接触が検出されると、絞り優先モードに切り替えられる。また、第１接触検出領域Ｚ１及び第２接触検出領域Ｚ２への接触が同時に検出されると、プログラムモードに切り替えられる。
【０１８６】
露出モードが設定されると、操作ダイヤル１１０の操作対象が設定される（ステップＳ１４）。操作ダイヤル１１０の操作対象は、露出モードに対応して設定される。設定された露出モードがプログラムモードの場合、プログラムシフトが操作対象に設定される。設定された露出モードがシャッタースピード優先モードの場合、シャッタースピードが操作対象に設定される。設定された露出モードが絞り優先モードの場合、絞り値が操作対象に設定される。設定された露出モードがマニュアルモードの場合、シャッタースピード又は絞り値が操作対象に設定される。
【０１８７】
また、露出モードが設定されると、ダイヤルディスプレー１３２の表示が変更される（ステップＳ１５）。たとえば、設定された露出モードがプログラムモードの場合、図１１（Ａ）に示すように、ダイヤルディスプレー１３２は、第１表示領域Ｄｚ１及び第２表示領域Ｄｚ２が共に白地に黒文字の表示に変更される。設定された露出モードがシャッタースピード優先モードの場合、図１１（Ｂ）に示すように、ダイヤルディスプレー１３２は、第１表示領域Ｄｚ１が黒地に白文字の表示に変更され、第２表示領域Ｄｚ２が白地に黒文字の表示に変更される。また、設定された露出モードがマニュアルモードの場合、図１１（Ｃ）に示すように、ダイヤルディスプレー１３２は、第１表示領域Ｄｚ１及び第２表示領域Ｄｚ２が共に黒地に白文字の表示に変更される。また、設定された露出モードが絞り優先モードの場合、ダイヤルディスプレー１３２は、第１表示領域Ｄｚ１が白地に黒文字の表示に変更され、第２表示領域Ｄｚ２が黒地に白文字の表示に変更される。
【０１８８】
以上一連の工程で露出モードの切り替えが完了する。これにより、新たな露出モードの下で撮影が可能になる。この後、電源がＯＦＦされたか否か判定される（ステップＳ１６）。電源がＯＦＦされると、処理を終了する。
【０１８９】
このように、本実施の形態のデジタルカメラ１によれば、操作ダイヤル１１０の天面をタッチする動作によって、露出モードを切り替えられる。これにより、目的とする露出モードに簡単かつ迅速に切り替えられる。また、露出モードの切り替わりに連動して、操作ダイヤル１１０の操作対象も切り替わるので、良好な操作性を実現できる。また、モードダイヤル等を別途設置する必要がないので、カメラの構成を簡素化できる。
【０１９０】
［変形例］
《設定するモード》
上記実施の形態では、カメラの露出モードを設定する場合を例に説明したが、本発明の適用は、これに限定されるものではない。他のモードを設定する場合にも本発明を適用できる。
【０１９１】
上記実施の形態では、設定可能な露出モードが、プログラムモード、シャッタースピード優先モード、絞り優先モード、マニュアルモードの４つであるが、設定可能な露出モードの種類及び数は、これに限定されるものではない。この他、たとえば、フルオートモード等を設定できるようにしてもよい。フルオートモードとは、すべての項目をカメラが自動的に設定するモードである。フルオートモードの場合、たとえば、操作ダイヤルの操作は無効となる。
【０１９２】
《操作ダイヤルの操作対象》
操作ダイヤルの操作対象は、モードに応じて設定される。操作ダイヤルの操作対象は、モードごとに必ず設定しなければならないものではない。モードによっては、操作ダイヤルの操作を無効にできる。
【０１９３】
《操作ダイヤルの設置位置》
上記実施の形態では、操作ダイヤルをカメラボディの天面に設置しているが、操作ダイヤルを設置する位置は、これに限定されるものではない。上記実施の形態のデジタルカメラのように、カメラボディの天面のグリップ部側の端部に操作ダイヤルを配置すると、カメラボディをグリップしながら操作ダイヤルを操作できる。
【０１９４】
《サブディスプレーの表示》
〈設定されている露出モードの情報のみを表示する態様〉
サブディスプレーに表示する項目は、カメラに備えられる機能に応じて適宜設定できる。少なくとも操作ダイヤル１１０の天面をタッチすることによって設定されるモードの情報を表示することが好ましい。
【０１９５】
図１３は、サブディスプレーの変形例を示す図である。
【０１９６】
同図に示すように、サブディスプレー１６Ａには、設定されている露出モードの情報のみを表示してもよい。
【０１９７】
なお、同図（Ａ）は、露出モードがプログラムモードに設定された場合の表示の一例を示している。この場合、設定されている露出モードがプログラムモードであることを示す情報として「ＰＲＯＧＲＡＭ  ＭＯＤＥ」の文字がサブディスプレー１６Ａに表示される。
【０１９８】
同図（Ｂ）は、露出モードがシャッタースピード優先モードに設定された場合の表示の一例を示している。この場合、設定されている露出モードがシャッタースピード優先モードであることを示す情報として「ＳＨＵＴＴＥＲ  ＰＲＩＯＲＩＴＹ  ＭＯＤＥ」の文字がサブディスプレー１６Ａに表示される。
【０１９９】
同図（Ｃ）は、露出モードがマニュアルモードに設定された場合の表示の一例を示している。この場合、設定されている露出モードがマニュアルモードであることを示す情報として「ＭＡＮＵＡＬ  ＭＯＤＥ」の文字がサブディスプレー１６Ａに表示される。
【０２００】
同図（Ｄ）は、露出モードが絞り優先モードに設定された場合の表示の一例を示している。この場合、設定されている露出モードが絞り優先モードであることを示す情報として「ＡＰＥＲＴＵＲＥ  ＰＲＩＯＲＩＴＹ  ＭＯＤＥ」の文字がサブディスプレー１６Ａに表示される。
【０２０１】
なお、設定表示部を構成するサブディスプレーは、操作ダイヤルの近傍に配置することが好ましい。ここで、近傍とは、図１１、図１３等に示すように、サブディスプレーと操作ダイヤルとが隣接して配置される程度の距離関係をいう。サブディスプレーを操作ダイヤルの近傍に配置することにより、より良好な操作性を提供できる。すなわち、操作ダイヤルのすぐ近くで設定を確認できるので、視線移動を少なくでき、ストレスのない良好な操作性を提供できる。
【０２０２】
〈操作ダイヤルで設定変更される項目をサブディスプレー上で視認可能にする表示〉
サブディスプレー１６には、少なくとも操作ダイヤル１１０で設定される項目の設定値の情報を表示することが好ましい。上記実施の形態では、操作ダイヤル１１０によってシャッタースピード及び絞り値が設定されるので、少なくともシャッタースピード及び絞り値の情報をカメラの設定情報としてサブディスプレー１６に表示することが好ましい。
【０２０３】
また、サブディスプレー１６に表示する情報に操作ダイヤル１１０によって設定される項目の設定値の情報が含まれる場合、現時点で操作ダイヤル１１０によって設定変更される項目の設定値を他の表示項目と区別可能に表示することが好ましい。たとえば、現時点で操作ダイヤル１１０によって設定変更される項目がシャッタースピードの場合、シャッタースピードの設定値を他の項目の設定値と区別可能に表示する。たとえば、設定値の手前に設定変更される項目であることを示すマークを表示したり、設定値を枠で囲んだり、表示する文字のサイズを変えたりして、他の項目と区別可能に表示する。
【０２０４】
図１４は、操作ダイヤルで設定変更される項目を他の項目と区別可能にするサブディスプレーの表示の一例を示す図である。
【０２０５】
同図（Ａ）は、露出モードがプログラムモードに設定された場合の表示の一例を示している。同図（Ｂ）は、露出モードがシャッタースピード優先モードに設定された場合の表示の一例を示している。同図（Ｃ）は、露出モードがマニュアルモードに設定された場合の表示の一例を示している。同図（Ｄ）は、露出モードが絞り優先モードに設定された場合の表示の一例を示している。
【０２０６】
プログラムモードの場合、操作ダイヤル１１０の操作対象はプログラムシフトに設定される。この場合、操作ダイヤル１１０の操作に応じて、シャッタースピードと絞り値の組み合わせが変更される。このため、図１４（Ａ）に示すように、サブディスプレー１６には、シャッタースピードの情報ｉ１の表示位置の手前及び絞り値の情報ｉ２の表示位置の手前に所定のマークｍ２が表示される。このマークｍ２は、白抜きの三角形で構成され、それぞれシャッタースピードの情報ｉ１及び絞り値の情報ｉ２を指し示すように表示される。
【０２０７】
シャッタースピード優先モードの場合、操作ダイヤル１１０の操作対象はシャッタースピードに設定される。この場合、図１４（Ｂ）に示すように、サブディスプレー１６には、シャッタースピードの情報ｉ１の表示位置の手前に所定のマークｍ１が表示される。このマークｍ１は、黒塗りの三角形で構成され、シャッタースピードの情報ｉ１を指し示すように表示される。
【０２０８】
マニュアルモードの場合、操作ダイヤル１１０の操作対象はシャッタースピード又は絞り値に設定される。操作ダイヤル１１０の操作対象がシャッタースピードに設定される場合、図１４（Ｃ）に示すように、サブディスプレー１６には、シャッタースピードの情報ｉ１の表示位置の手前に所定のマークｍ１が表示される。このマークｍ１は、黒塗りの三角形で構成され、シャッタースピードの情報ｉ１を指し示すように表示される。なお、操作ダイヤル１１０の操作対象がシャッタースピードに設定される場合、リアコマンドダイヤル４１には、操作対象として絞り値が設定される。この場合、図１４（Ｃ）に示すように、サブディスプレー１６には、絞り値の情報ｉ２の表示位置の手前に所定のマークｍ２が表示される。このマークｍ２は、白抜きの三角形で構成され、絞り値の情報ｉ２を指し示すように表示される。
【０２０９】
絞り優先モードの場合、操作ダイヤル１１０の操作対象は絞り値に設定される。この場合、図１４（Ｄ）に示すように、サブディスプレー１６には、絞り値の情報ｉ２の表示位置の手前に所定のマークｍ１が表示される。このマークｍ１は、黒塗りの三角形で構成され、絞り値の情報ｉ２を指し示すように表示される。
【０２１０】
マークｍ１とマークｍ２の違いは、操作ダイヤル１１０によって直接設定変更される項目か否かの相違である。操作ダイヤル１１０を操作することによって、直接設定変更される項目の場合、マークｍ１が表示され、間接的又は他の操作ダイヤルによって設定変更される項目の場合、マークｍ２が表示される。
【０２１１】
このように、現時点で操作ダイヤル１１０によって設定変更される項目の設定値を他の表示項目と区別可能に表示することにより、より操作性を向上できる。
【０２１２】
なお、サブディスプレー１６の表示の切り替えは、ダイヤルディスプレー１３２の表示の切り換わりに連動して行われる。
【０２１３】
《ダイヤルディスプレーの表示》
上記実施の形態では、各接触検出領域に単独で触れた場合に設定される操作ダイヤルの操作対象の情報をダイヤルディスプレーに表示する構成としているが、ダイヤルディスプレーに表示する情報は、これに限定されるものではない。
【０２１４】
図１５は、ダイヤルディスプレーの表示の変形例を示す図である。なお、同図（Ａ）は、露出モードがプログラムモードに設定された場合、同図（Ｂ）は、露出モードがシャッタースピード優先モードに設定された場合、同図（Ｃ）は、露出モードがマニュアルモードに設定された場合、同図（Ｄ）は、露出モードが絞り優先モードに設定された場合の表示の一例を示している。
【０２１５】
図１５に示す例では、各接触検出領域に単独で触れた場合に設定される操作ダイヤルの操作対象の現在の設定値を表示している。
【０２１６】
なお、上記実施の形態では、操作ダイヤルの操作対象の情報をダイヤルディスプレーに表示する構成としているが、操作ダイヤルの天面にプリント、刻印等で表示してもよい。
【０２１７】
《接触検出部》
上記実施の形態では、接触検出部をタッチセンサーで構成しているが、接触検出部の構成は、これに限定されるものではない。また、上記実施の形態では、１つのタッチセンサーで各接触検出領域への接触を検出しているが、接触検出領域ごとにタッチセンサーを設けて、接触を検出する構成としてもよい。
【０２１８】
《接触検出の変形例》
接触の検出については、いわゆる不感帯を設けることがより好ましい。すなわち、瞬間的な指の接触については、検出しない構成とすることが好ましい。不感帯を設けるためには、たとえば、一定の時間間隔で接触を検出する構成にする。この場合、連続して接触が検出されたか否かを判定して、接触の有無を判定する。連続して接触が検出されている場合、接触していると判定する。瞬間的な接触の場合、連続して接触が検出されないので、検出を排除できる。また、瞬間的に指を離した場合も、次の検出までに指が触れていれば、接触が継続しているものと認定できる。このように、持続時間も判断してヒステリシスを持たせて応答させることにより、より安定した動作が可能になる。
【０２１９】
また、接触検出領域に一定時間以上接触した場合に真に接触したと認定してもよい。すなわち、一定時間以上接触したことを検出して、モードを切り替える。たとえば、１秒以上接触したことを検出して、モードを切り替える。これにより、不用意にモードが切り替わるのを防止できる。
【０２２０】
《接触検出領域》
操作ダイヤルの天面に設定する接触検出領域は、設定するモードの数に応じて設定される。設定するモードの数は２以上である。
【０２２１】
なお、上記実施の形態のデジタルカメラのように、２つの接触検出領域を操作ダイヤルの中心に対して対称に配置することにより、操作ダイヤルの天面を見なくても、指の間隔で接触検出領域の位置を把握させることができる。これにより、周囲が暗い状況でもモードの切り替え操作ができる。また、ファインダーを見ながらでもモードの切り替え操作ができる。
【０２２２】
《操作ダイヤルの回転操作の検出》
上記実施の形態では、操作ダイヤルの回転をロータリーエンコーダーで検出する構成としているが、操作ダイヤルの回転を検出する構成は、これに限定されるものではない。この他、たとえば、回転ブラシ等を利用した公知の回転検出手段を採用することもできる。
【０２２３】
また、上記実施の形態では、クリック溝板金とクリックボールとでコマンドダイヤルのクリック機構を構成しているが、クリック機構の構成は、これに限定されるものではない。この他、板バネ等を利用した公知のクリック機構を採用することもできる。
【０２２４】
《標準のモードに復帰させる形態》
上記実施の形態では、標準のモードであるプログラムモードから他の露出モードに移行させた場合、切り替えたときと同じ接触検出領域に再度触れることで、標準のモードであるプログラムモードに復帰させる構成としているが、標準のモードに復帰させる形態は、これに限定されるものではない。切り替えたときと同じ接触検出領域に一定時間以上継続して触れることで標準のモードに復帰させる構成、第１接触検出領域及び第２接触検出領域を同時に一定時間以上継続して触れることで標準のモードに復帰させる構成、切り替えたときと同じ接触検出領域を一定回数タップすることで標準のモードに復帰させる構成、第１接触検出領域及び第２接触検出領域を同時に一定回数タップすることで標準のモードに復帰させる構成など、種々の形態を採用できる。なお、タップとは、接触の検出面を叩く操作のことである。
【０２２５】
◆◆第２の実施の形態◆◆
本実施の形態のデジタルカメラは、操作ダイヤルの天面を指で触れると、触れた位置に応じて露出モードが切り替えられる。
【０２２６】
なお、上記第１の実施の形態のデジタルカメラとの相違は、操作ダイヤルの天面への指の接触の検出態様だけである。したがって、ここでは、操作ダイヤルの天面へ指の接触の検出、及び、接触の検出に基づく露出モードの切り替えについてのみ説明する。
【０２２７】
［接触の検出］
操作ダイヤル１１０の天面への指の接触は、タッチセンサー１３０で検出する。タッチセンサー１３０は、接触検出部の一例であり、操作ダイヤル１１０の天面への指の接触、及び、接触位置を検出する。
【０２２８】
図１６は、接触位置の検出の概念図である。
【０２２９】
同図において、破線で囲んだ斜線の領域ＴＰは、接触が検出された領域である。この領域を接触検出領域ＴＰとする。タッチセンサー１３０は、接触検出領域ＴＰの重心位置ＪＰを求め、求めた重心位置ＪＰを接触位置として出力する。接触位置は、タッチセンサー１３０の中心（＝操作ダイヤル１１０の回転中心）を原点とするｘｚ平面上での位置（ｘ１，ｚ１）として求められる。
【０２３０】
［露出モードの設定］
操作ダイヤル１１０の天面には、複数の領域が設定され、領域ごとに設定すべき露出モードが定められる。
【０２３１】
図１７は、操作ダイヤルの天面に設定する領域の一例を示す図である。
【０２３２】
同図において、破線で示す円の領域Ｔｚが、タッチセンサー１３０の接触検出可能領域である。本実施の形態のデジタルカメラでは、この接触検出可能領域Ｔｚが、前後方向（ｚ方向）に二分割される。二分割された前側の領域を第１領域Ｔｚ１、後側の領域を第２領域Ｔｚ２とする。第１領域Ｔｚ１には、シャッタースピード優先モードが設定され、第２領域Ｔｚ２には、絞り優先モードが設定される。各領域に設定されたモードの情報は、テーブル形式でデータメモリ６４に記憶される。
【０２３３】
露出モード設定部１５０は、データメモリ６４に記憶された情報を参照し、タッチセンサー１３０の出力に基づいて、露出モードを設定する。すなわち、タッチセンサー１３０で操作ダイヤル１１０の天面への接触が検出され、検出された接触検出位置ＪＰが第１領域Ｔｚ１に属する場合は、露出モードをシャッタースピード優先モードに切り替え、第２領域Ｔｚ２に属する場合は、絞り優先モードに切り替える。なお、標準の露出モードは、プログラムモードである。したがって、プログラムモードに設定された状態で第１領域Ｔｚ１への接触が検出されると、露出モードがシャッタースピード優先モードに切り替えられ、第２領域Ｔｚ２への接触が検出されると、露出モードが絞り優先モードに切り替えられる。また、露出モードがシャッタースピード優先モードに設定された状態で第１領域Ｔｚ１への接触が検出されると、露出モードがプログラムモードに切り替えられ、第２領域Ｔｚ２への接触が検出されると、露出モードが絞り優先モードに切り替えられる。更に、露出モードが絞り優先モードに設定された状態で第１領域Ｔｚ１への接触が検出されると、露出モードがシャッタースピード優先モードに切り替えられ、第２領域Ｔｚ２への接触が検出されると、露出モードがプログラムモードに切り替えられる。
【０２３４】
なお、プログラムモードに設定された場合、操作ダイヤル１１０の操作対象はプログラムシフトに設定される。また、シャッタースピード優先モードに設定された場合、操作ダイヤル１１０の操作対象はシャッタースピードに設定される。また、絞り優先モードに設定された場合、操作ダイヤル１１０の操作対象には、絞り値が設定される。
【０２３５】
［ダイヤルディスプレーの表示］
図１８は、ダイヤルディスプレーの表示の一例を示す図である。
【０２３６】
同図に示すように、ダイヤルディスプレー１３２には、タッチセンサー１３０に設定された領域に対応した領域が表示される。すなわち、前後方向（ｚ方向）に二分割された領域が表示される。前方の領域を第１表示領域Ｄｚ１、後方の領域を第２表示領域Ｄｚ２とする。第１表示領域Ｄｚ１及び第２表示領域Ｄｚ２は、共に半円形の枠で囲われた領域として表示される。
【０２３７】
第１表示領域Ｄｚ１には、第１領域Ｔｚ１に触れた場合に設定される操作ダイヤル１１
０の操作対象の情報が表示される。第１領域Ｔｚ１に触れた場合に設定される操作ダイヤル１１０の操作対象はシャッタースピードである。このため、第１表示領域Ｄｚ１には、シャッタースピードを表わす「ＳＨＵＴＴＥＲ」の文字が半円状の枠内に表示される。
【０２３８】
第２表示領域Ｄｚ２には、第２領域Ｔｚ２に触れた場合に設定される操作ダイヤル１１０の操作対象の情報が表示される。第２領域Ｔｚ２に触れた場合に設定される操作ダイヤル１１０の操作対象は絞り値である。このため、第２表示領域Ｄｚ２には、絞り値を表わす「ＩＲＩＳ」の文字が半円状の枠内に表示される。
【０２３９】
ここで、図１８に示すダイヤルディスプレー１３２の表示は、露出モードがプログラムモードの場合の表示の例である。第１領域Ｔｚ１に触れて、露出モードがシャッタースピード優先モードに設定されると、第１表示領域Ｄｚ１の表示が反転する。すなわち、黒地に白文字で操作対称の情報が表示される（図１１（Ｂ）参照）。一方、第２領域Ｔｚ２に触れて、露出モードが絞り優先モードに設定されると、第２表示領域Ｄｚ２の表示が反転する。すなわち、黒地に白文字で操作対称の情報が表示される（図１１（Ｄ）参照）。
【０２４０】
このように、ダイヤルディスプレー１３２の表示は、設定された露出モードに応じて、表示形態が切り替えられる。これにより、ダイヤルディスプレー１３２の表示から一目で設定されている露出モードを把握できる。
【０２４１】
なお、サブディスプレー１６の表示についても、現時点で操作ダイヤル１１０によって設定変更される項目の設定値を他の表示項目と区別可能に表示することが好ましい。
【０２４２】
以上説明したように、本実施の形態のデジタルカメラによれば、操作ダイヤル１１０の天面を指で触れると、触れた位置に応じて、露出モードが切り替えられる。これにより、素早くモードを切り替えられる。
【０２４３】
［変形例］
《露出モードの設定の変形例》
上記実施の形態では、操作ダイヤルの天面を二等分割し、各領域にシャッタースピード優先モード及び絞り優先モードを割り当てているが、操作ダイヤルの天面に設定する領域、及び、各領域に割り当てるモードは、これに限定されるものではない。
【０２４４】
図１９は、操作ダイヤルの天面に設定する領域の他の一例を示す図である。
【０２４５】
同図に示す例では、操作ダイヤル１１０の天面に３つの領域を設定している。具体的には、中央に第３領域Ｔｚ３を設定し、第３領域Ｔｚ３を除く領域を前後方向（ｚ方向）に二等分割して、第１領域Ｔｚ１及び第２領域Ｔｚ２を設定している。
【０２４６】
第１領域Ｔｚ１には、シャッタースピード優先モードが設定され、第２領域Ｔｚ２には、絞り優先モードが設定され、第３領域Ｔｚ３には、マニュアルモードが設定される。
【０２４７】
この場合、第１領域Ｔｚ１に触れると、露出モードがシャッタースピード優先モードに設定され、第２表示領域Ｄｚ２に触れると、露出モードが絞り優先モードに設定される。また、第３領域Ｔｚ３に触れると、露出モードがマニュアルモードに設定される。
【０２４８】
《接触位置の検出の変形例》
上記実施の形態では、操作ダイヤル１１０の天面への接触及び接触位置をタッチセンサー１３０で検出する構成としているが、操作ダイヤル１１０の天面への接触及び接触位置を検出する手段は、これに限定されるものではない。範囲や分布を検出するセンサーを用いて検出してもよい。接触の有無と接触位置（点、面積の重心位置、複数の点、複数の点又は面積から演算される単一又は複数の座標等のいずれでもよい）を検出できれる構成のものであればよい。
【０２４９】
《その他の変形例》
上記第１の実施の形態の変形例として説明した例は、本実施の形態のデジタルカメラにも適用できる。
【０２５０】
◆◆第３の実施の形態◆◆
本実施の形態のデジタルカメラは、操作ダイヤルの天面を指で触れると、触れた位置に応じて露出モードが切り替えられる。また、操作ダイヤルの天面に触れた指を移動させると、その移動方向に応じて、カメラのモードが切り替えられる。
【０２５１】
なお、上記第２の実施の形態のデジタルカメラとの相違は、指の移動も検出して、モードを切り替える点だけである。したがって、ここでは、指の移動の検出、及び、検出結果に基づく露出モードの切り替えについてのみ説明する。
【０２５２】
［指の移動の検出］
操作ダイヤル１１０の天面上での指の移動は、タッチセンサー１３０で検出する。タッチセンサー１３０は、接触検出部の一例であり、接触が検出された指の移動及び移動方向を検出する。タッチセンサー１３０は、操作ダイヤル１１０の天面への接触が検出された指の移動を検出した場合、その移動方向を検出して出力する。
【０２５３】
［露出モードの設定］
操作ダイヤル１１０の天面には、複数の領域が設定され、領域ごとに設定すべき露出モードが定められる。更に、移動方向ごとに設定すべき露出モードが定められる。
【０２５４】
接触が検出された場合に設定する露出モードは、上記第２の実施の形態の場合と同じである。すなわち、第１領域Ｔｚ１及び第２領域Ｔｚ２に二分割され、第１領域Ｔｚ１には、シャッタースピード優先モードが設定される。また、第２領域Ｔｚ２には、絞り優先モードが設定される。
【０２５５】
指の移動が検出された場合に設定する露出モードは、次のとおりである。すなわち、移動方向が後方向（前方から後方に向かう方向）の場合、マニュアルモードに設定される。
【０２５６】
設定されたモードの情報は、テーブル形式でデータメモリ６４に記憶される。
【０２５７】
露出モード設定部１５０は、データメモリ６４に記憶された情報を参照し、タッチセンサー１３０の出力に基づいて、露出モードを設定する。すなわち、タッチセンサー１３０で操作ダイヤル１１０の天面への接触が検出され、検出された接触検出位置ＪＰが第１領域Ｔｚ１に属する場合は、露出モードをシャッタースピード優先モードに切り替え、第２領域Ｔｚ２に属する場合は、絞り優先モードに切り替える。また、接触した指の移動が検出され、その移動方向が後方向の場合、露出モードをマニュアルモードに切り替える。なお、標準の露出モードは、プログラムモードである。
【０２５８】
マニュアルモードに設定された状態で第１領域Ｔｚ１への接触が検出されると、露出モードがシャッタースピード優先モードに切り替えられ、第２領域Ｔｚ２への接触が検出されると、露出モードが絞り優先モードに切り替えられる。また、後方向への指の移動が検出されると、露出モードがプログラムモードに切り替えられる。
【０２５９】
［ダイヤルディスプレーの表示］
ダイヤルディスプレー１３２の表示は、上記第２の実施の形態のデジタルカメラと同じである。
【０２６０】
なお、露出モードがマニュアルモードに設定されると、第１表示領域Ｄｚ１及び第２表示領域Ｄｚ２の表示が反転する。すなわち、双方ともに黒地に白文字で操作対称の情報が表示される（図１１（Ｃ）参照）。
【０２６１】
［変形例］
《露出モードの設定の変形例》
上記実施の形態では、指を後方向に移動させると、露出モードがマニュアルモードに切り換わる構成としているが、指の移動方向、及び、各移動方向に設定する露出モードの例は、これに限定されるものではない。たとえば、前方向、右方向、又は、左方向の移動に対してマニュアルモードへの切り替えを設定することもできる。また、他のモードを設定することもできる。
【０２６２】
また、移動方向は単一の方向ではなく、連続する複数の方向への移動の組み合わせを検出してもよい。たとえば、後方向と前方向との移動の組み合わせを検出して、マニュアルモードに切り替える構成としてもよい。
【０２６３】
《移動方向の検出》
移動方向の検出には、一定の幅を持たせることが好ましい。たとえば、斜め後方向の移動であっても、一定の角度範囲内であれば、後方向の移動とみなすことが好ましい。
【０２６４】
《その他の変形例》
上記各実施の形態の変形例として説明した例は、本実施の形態のデジタルカメラにも適用できる。
【０２６５】
◆◆第４の実施の形態◆◆
本実施の形態のデジタルカメラは、操作ダイヤルの天面に触れた指を移動させると、その移動方向に応じて、露出モードが切り替えられる。
【０２６６】
したがって、本実施の形態のデジタルカメラでは、移動方向ごとに設定する露出モードが定められる。
【０２６７】
操作ダイヤル１１０の天面に接触した指の移動及び移動方向の検出は、タッチセンサー１３０で検出される。タッチセンサー１３０は、接触検出部の一例である。
【０２６８】
本実施の形態のデジタルカメラにおいて、各移動方向に設定される露出モードは、次のとおりである。
【０２６９】
（１）標準：プログラムモード
（２）後方向：シャッタースピード優先モード
（３）前方向：絞り優先モード
（４）右方向：マニュアルモード
各移動方向に設定されたモードの情報は、テーブル形式でデータメモリ６４に記憶される。
【０２７０】
露出モード設定部１５０は、データメモリ６４に記憶された情報を参照し、タッチセンサー１３０の出力に基づいて、露出モードを設定する。
【０２７１】
プログラムモードに設定された状態で後方向への指の移動が検出されると、露出モードがシャッタースピード優先モードに切り替えられ、前方向への指の移動が検出されると、露出モードが絞り優先モードに切り替えられる。また、右方向への指の移動が検出されると、露出モードがマニュアルモードに切り替えられる。
【０２７２】
シャッタースピード優先モードに設定された状態で後方向への指の移動が検出されると、露出モードがプログラムモードに切り替えられる。また、前方向への指の移動が検出されると、露出モードが絞り優先モードに切り替えられ、右方向への指の移動が検出されると、露出モードがマニュアルモードに切り替えられる。
【０２７３】
絞り優先モードに設定された状態で後方向への指の移動が検出されると、露出モードがシャッタースピード優先モードに切り替えられ、前方向への指の移動が検出されると、プログラムモードに切り替えられる。また、右方向への指の移動が検出されると、露出モードがマニュアルモードに切り替えられる。
【０２７４】
マニュアルモードに設定された状態で後方向への指の移動が検出されると、露出モードがシャッタースピード優先モードに切り替えられ、前方向への指の移動が検出されると、露出モードが絞り優先モードに切り替えられる。また、右方向への指の移動が検出されると、露出モードがプログラムモードに切り替えられる。
【０２７５】
［変形例］
《露出モードの設定の変形例》
上述した露出モードの設定は一例であり、これに限定されるものではない。また、上記実施の形態では、切り替えたときと同じ方向に指を移動させると、プログラムモードに切り換わる構成にしているが、プログラムモードに戻す構成は、これに限定されるものではない。たとえば、特定の方向に移動させると、プログラムモードに復帰するようにしてもよい。
【０２７６】
また、特定の方向への指の移動を検出すると、モードが順番に切り換わる構成としてもよい。たとえば、後方向への移動を検出するたびに、（１）プログラムモード、（２）シャッタースピード優先モード、（３）絞り値優先モード、（４）マニュアルモードの順で露出モードが切り換わる構成にしてもよい。この場合、前方向の移動を検出するたびに、逆方向に露出モードが切り換わる構成にしてもよい。
【０２７７】
《その他の変形例》
上記各実施の形態の変形例として説明した例は、本実施の形態のデジタルカメラにも適用できる。
【０２７８】
《設定プログラム》
露出モードの設定、及び、操作ダイヤルの操作対象の設定に関わる機能をコンピューターに実現させるプログラムは、設定プログラムとして、たとえば、コンピューターで読み取り可能な記録媒体に格納して単独で提供することもできる。
【０２７９】
《カメラ》
また、上記実施の形態では、本発明をデジタルカメラに適用した場合を例に説明したが、本発明の適用は、これに限定されるものではない。銀塩フイルムを使用したカメラにも同様に適用できる。また、カメラ機能を備えた電子機器にも適用できる。
【０２８０】
また、上記実施の形態では、レンズ交換式のカメラに本発明を適用した場合を例に説明したが、レンズ一体式のカメラにも同様に適用できる。
【０２８１】
更に、上記実施の形態では、ノンレフレックス型のカメラに本発明を適用した場合を例に説明したが、レフレックス型のカメラにも同様に適用できる。
【符号の説明】
【０２８２】
１  デジタルカメラ
２  レンズ
２ａ  レンズ駆動部
１０  カメラボディ
１２  レンズマウント
１４  メインディスプレー
１６  サブディスプレー
１６Ａ  サブディスプレー
１８  電子ビューファインダー
２０  ホットシュー
２２  グリップ
２４  サムレスト
３０  シャッターボタン
３１  電源レバー
３４  再生ボタン
３５  消去ボタン
３６  ＡＦロックボタン
３７  ＡＥロックボタン
３８  メニューボタン
３９  セレクターボタン
４０  ＢＡＣＫボタン
４１  リアコマンドダイヤル
５０  イメージセンサー
５２  イメージセンサー駆動部
５４  シャッター
５６  シャッター駆動部
５８  アナログ信号処理部
６０  画像データ入力部
６２  ワークメモリ
６４  データメモリ
６６  デジタル信号処理部
６８  記録制御部
７０  メインディスプレー駆動部
７２  サブディスプレー駆動部
７４  操作部
７８  メモリーカード
８０  システムコントローラー
１１０  操作ダイヤル
１１２  内周部
１１２Ａ  支柱部
１１４  外周部
１１４Ａ  軸部
１１６  操作ダイヤル支持フレーム
１１６Ａ  クリックボール収容穴
１１８  軸受
１２０  クリック機構
１２０Ａ  クリック溝板金
１２０Ｂ  クリックボール
１２０Ｃ  クリックバネ
１２０ａ  クリック溝
１２６  回転検出部
１３０  タッチセンサー
１３２  ダイヤルディスプレー
１５０  露出モード設定部
１５２  操作対象設定部
１５４  設定変更部
１５６  ダイヤル表示制御部
１５８  サブディスプレー表示制御部
１６０  ダイヤルディスプレー駆動部
Ｌ  光軸
Ｄｚ１  第１表示領域
Ｄｚ２  第２表示領域
ＪＰ  接触検出位置
ＴＰ  接触検出領域
Ｔｚ  接触検出可能領域
Ｔｚ１  第１領域
Ｔｚ２  第２領域
Ｔｚ３  第３領域
Ｚ１  第１接触検出領域
Ｚ２  第２接触検出領域
ｉ１  シャッタースピードの情報
ｉ２  絞り値の情報
ｉ３  ＩＳＯ感度の情報
ｉ４  露出補正量の情報
ｉ５  露出モードの情報
ｍ１  マーク
ｍ２  マーク
Ｓ１１−Ｓ１６  露出モードの設定処理の手順
【図１】
0006542485.tif 000002
【図２】
0006542485.tif 000003
【図３】
0006542485.tif 000004
【図４】
0006542485.tif 000005
【図５】
0006542485.tif 000006
【図６】
0006542485.tif 000007
【図７】
0006542485.tif 000008
【図８】
0006542485.tif 000009
【図９】
0006542485.tif 000010
【図１０】
0006542485.tif 000011
【図１１】
0006542485.tif 000012
【図１２】
0006542485.tif 000013
【図１３】
0006542485.tif 000014
【図１４】
0006542485.tif 000015
【図１５】
0006542485.tif 000016
【図１６】
0006542485.tif 000017
【図１７】
0006542485.tif 000018
【図１８】
0006542485.tif 000019
【図１９】
0006542485.tif 000020